(57)【要約】  電磁変換器を備えるデバイスである。この電磁変換器はその中にスペースを持つボビンを備える。接続装置がボビンと固定関係で設けられ、振動エネルギーを電磁変換器との間で直接または間接に伝達するよう構成されている。前記スペースから接続装置への通路が設けられている。
2016509944.tif 000002
【特許請求の範囲】
【請求項１】
スペースを有するボビンを備える電磁変換器と、
前記ボビンと固定関係にあり、前記電磁変換器へまたは該電磁変換器からの少なくとも一方で直接または間接に振動エネルギーを伝達するよう構成された接続装置と、
前記スペースから前記接続装置への通路と、
を備えるデバイス。
【請求項２】
前記ボビン周りに巻かれ、動的磁束を発生するよう構成された電気コイルをさらに備え、該コイルが前記スペース周りに延びる、請求項１に記載のデバイス。
【請求項３】
前記スペースが前記接続装置に面する前記ボビンの第１の側から該接続装置から離れる該ボビンの第２の側への貫通スペースである、請求項１に記載のデバイス。
【請求項４】
前記接続装置の一部分が前記通路内に位置する、請求項１に記載のデバイス。
【請求項５】
前記デバイスが経皮骨伝導デバイスの取り外し可能コンポーネントであり、前記接続装置が皮膚を貫く取り付け部に接続するよう構成されている、請求項１に記載のデバイス。
【請求項６】
前記接続装置が前記通路に締まり嵌めまたは粘着嵌めされるコンポーネントを含む、請求項１に記載のデバイス。
【請求項７】
前記接続装置が前記接続装置の前記取り付け部と接合する複数の領域を制限するよう構成された保護スリーブを備える、請求項５に記載のデバイス。
【請求項８】
前記デバイスが受容者にインプラントされるよう構成された能動通皮骨伝導デバイスであり、前記接続装置が骨固定具に直接接続するよう構成されている、請求項１に記載のデバイス。  
【請求項９】
前記骨固定具の一部が前記通路に嵌まる、請求項８に記載のデバイス。
【請求項１０】
前記デバイスは受容者にインプラントされるよう構成された能動通皮骨伝導デバイスであり、骨固定具コネクタが前記ボビン内の前記スペースを通り前記骨固定具に延びる、請求項１に記載のデバイス。
【請求項１１】
前記電磁変換器がバランスした電磁アクチュエータである、請求項１に記載のデバイス。
【請求項１２】
電磁変換器を通るスペースを通して力を伝達することを含み、これにより該電磁変換器にコンポーネントが取り付けられ、または該電磁変換器からコンポーネントが取り外される、方法。
【請求項１３】
前記力は接続装置に作用する圧縮力である、請求項１２に記載の方法。
【請求項１４】
前記力はインプラントされた骨固定具に接合する回転力である、請求項１３に記載の方法。
【請求項１５】
前記コンポーネントは前記電磁変換器に直接取り付けられている、請求項１２に記載の方法。
【請求項１６】
前記コンポーネントが電磁変換器に間接的に取り付けられている、請求項１２に記載の方法。
【請求項１７】
前記コンポーネントを取り外すことは、圧力嵌めまたは締まり嵌めの少なくとも一つに前記伝達された力で打ち勝つことを含む、請求項１２に記載の方法。
【請求項１８】
固定用コンポーネントと振動伝達関係にある電磁変換器を備え、該電磁変換器が該電磁変換器を通って延びる機械的接続を介して前記接続用コンポーネントに位置的に取り付けられている、デバイス。
【請求項１９】
前記固定用コンポーネントが受容者にインプラントされた骨固定具である、請求項１８に記載のデバイス。
【請求項２０】
前記固定用コンポーネントが経皮骨伝導デバイスの取り外し可能コンポーネントの受容者結合である、請求項１８に記載のデバイス。
【請求項２１】
前記固定用コンポーネントが受動通皮骨伝導デバイスの外部コンポーネントの圧力プレートのコンポーネントである、請求項１８に記載のデバイス。
【請求項２２】
前記電磁変換器が能動通皮骨伝導デバイスのインプラントされた振動装置の一部であり、該電磁変換器が前記固定用コンポーネントだけを介して受容者に位置的に取り付けられる、請求項１８に記載のデバイス。
【請求項２３】
前記電磁変換器が能動通皮骨伝導デバイスのインプラントされた振動装置の一部であり、該電磁変換器の縦軸が受容者の前記固定用コンポーネントと少なくとも全体的に整合している、請求項１８に記載のデバイス。
【請求項２４】
前記電磁変換器が能動通皮骨伝導デバイスのインプラントされた振動装置の一部であり、前記電磁変換器の振動コンポーネントの運動方向が前記骨固定具の縦軸と少なくとも概して同軸である、請求項１９に記載のデバイス。
【請求項２５】
前記デバイスがシャフトおよびインプラントされたコンポーネントを含み、該コンポーネントが骨固定具および骨固定具に結合した取り付け部の少なくとも一つを含み、
前記シャフトが前記電磁変換器を通って延び、前記骨固定具および前記取り付け部の少なくとも一つと結合する、
請求項１８に記載のデバイス。
【請求項２６】
振動を変換する方法であって、
受容者の皮下にインプラントされた電磁変換器からまたは該電磁変換器へ、前記電磁変換器を受容者の骨に一つのポイントで固定する単ポイント取り付けシステムで振動を伝達することを含む、前記方法。
【請求項２７】
前記単ポイント取り付けシステムは、骨固定具を含み、機械的コネクタが前記電磁変換器を通って延び前記骨固定具に結合し、これにより該電磁変換器が受容者に固定される、請求項２６に記載の方法。
【請求項２８】
前記電磁変換器が前記骨と反対側から見て前記単ポイントを輪郭する外周を含む、請求項２６に記載の方法。
【請求項２９】
前記電磁変換器が前記単ポイントと相対的に振動態様で動くよう構成された第１のコンポーネントを含み、該第１のコンポーネントの振動運動の方向が第１の軸に沿っており、
前記第１の軸が少なくとも全体的に前記単ポイントを通って延びる、
請求項２８に記載の方法。
【請求項３０】
前記電磁変換器が前記単ポイントを通って少なくとも全体的に延びる縦軸を含む、請求項２６に記載の方法。
【請求項３１】
前記電磁変換器が前記骨固定具と直接接触するよう延びる一体的部分を有するボビンを備える、請求項２７に記載の方法。
【請求項３２】
前記皮下にインプラントされた電磁変換器との間で振動伝達を行う前または後の少なくとも一方で、受容者の前記単ポイントに対し皮膚上に位置する変換器との間で振動を伝達することを含む、請求項２６に記載の方法。
【請求項３３】
前記皮膚上に位置する変換器は、前記皮下にインプラントされた電磁変換器と振動伝達を実行するために使用される電磁変換器である、請求項３２に記載の方法。
【請求項３４】
動的磁束が通るボビンを備える電磁変換器を備え、前記ボビンの少なくとも一部がその位置での動的磁束の浸透深さの約１０倍以下の壁厚みを持つ磁気コアを形成する、デバイス。
【請求項３５】
前記壁厚みはその位置における前記動的磁束の浸透深さの厚みの約５倍以下である、請求項３４に記載のデバイス。
【請求項３６】
前記壁厚みはその位置における前記動的磁束の最大浸透深さの厚みの約２倍以下である、請求項３４に記載のデバイス。
【請求項３７】
前記磁気コアが積層磁気コアからなる、請求項３４に記載のデバイス。
【請求項３８】
前記積層磁気コアが約0.2mm以下の厚みを持つ少なくとも一つの積層を含む、請求項３７に記載のデバイス。
【請求項３９】
前記積層磁気コアの少なくとも一つの積層がその縦方向に延びるスリットを含む、請求項３７に記載のデバイス。
【請求項４０】
前記磁気コアはコイルが巻かれた前記ボビンの該面の内側に複数の分離面を有し、前記コイルが前記磁束を発生し、
前記複数の分離面は前記磁気コアを通る前記動的磁束フローの方向に少なくともほぼ平行に延びる、
請求項３４に記載のデバイス。
【請求項４１】
前記磁気コアは透磁性のリベットを含む、請求項３４に記載のデバイス。
【発明の詳細な説明】
【背景技術】
【０００１】
多くの異なる原因による難聴は概して伝音難聴および感音難聴の２タイプである。感音難聴はサウンド信号を神経インパルスに変換する蝸牛の毛細胞の欠如または破壊によるものである。種々の人工聴覚器官が商業的に入手可能であり、これらは感音難聴で悩む人々にサウンドを知覚する能力を提供する。たとえば、蝸牛（内耳）インプラントは耳のメカニズムをバイパスするため受容者の蝸牛にインプラントされる電極アレイを使用する。より具体的には、この電極アレイを介して電気的刺激が聴覚神経に加えられて聴力の近くを生じる。
【０００２】
伝音難聴は、サウンドを蝸牛の毛細胞に提供する正常な機械的通路がたとえば耳小骨連鎖または耳道の損傷によって害される時に生じる。伝音難聴の個人は、蝸牛内の毛細胞は損傷を受けていないかもしれないので、なんらかの形の残留聴力を持っていることがある。
【０００３】
伝音難聴の個人は、典型的には音響補聴器を受け取る。補聴器は、蝸牛に音響信号を伝えるのに空気伝導の原理を用いる。特に、補聴器は、受容者の耳道または外耳に配置される装置を使用して、受容者の外耳によって受け取られたサウンドを増幅する。この増幅されたサウンドが蝸牛に達して外リンパに動きを生じさせ聴覚神経を刺激する。
【０００４】
空気伝導の原理に主として依存する補聴器とは対照的に骨伝導デバイスと呼ばれるタイプの人工聴覚器官は、受け取ったサウンドを振動に変換する。この振動は頭骨を通って蝸牛に転送され神経インパルスを発生させ、これが受け取ったサウンドの知覚になる。骨伝導デバイスは、素寿のタイプの難聴を扱うのに適しており、音響補聴器、蝸牛（内耳）インプラントなどから十分な利益を得ることができない個人、またはどもる人に適していると思われる。
【発明の概要】
【課題を解決するための手段】
【０００５】
一つの観点によると、電磁変換器を備えるデバイスが、その中に空間をもつボビン、ボビンと固定関係にあり電磁変換器との間で直接または間接に振動エネルギーを送りまたは受け取る接続装置、および前記空間から接続装置への通路を備える。
【０００６】
もう一つの観点によると、電磁変換器を通って延びる空間を通って力を伝達し、電磁変換器との間でコンポーネントを取り付けるか取り外すこと、を含む方法がある。
【０００７】
もう一つの観点によると、取り付けコンポーネントと振動関係にある電磁変換器を備えるデバイスがあり、この電磁変換器は該変換器を通って延びる機械的な接続を介して取り付けコンポーネントに位置的に固定されている。
【０００８】
もう一つの観点によると、振動を変換する方法があり、この方法は、受容者の皮下にインプラントされた電磁変換器に振動を送りまたはこれから振動を受け取ることを含み、この電磁変換器は該変換器を受容者の骨に一つのポイントにおいて固定する一点取り付けシステムと振動伝達関係にある。
【０００９】
もう一つの観点によると、電磁変換器を備えたデバイスがあり、動的な磁束が通るボビンを備え、このボビンの少なくとも一部分が磁気コアを形成し、この磁気コアは、その箇所における動的磁束の浸透の深さの約１０倍以下の壁の厚みをもつ。
【図面の簡単な説明】
【００１０】
【図１Ａ】少なくともいくつかの実施例が実施されうる例示としての骨伝導デバイスの透視図。
【図１Ｂ】少なくともいくつかの実施例が実施されうる代替例としての骨伝導デバイスの透視図。
【図２】少なくともいくつかの例示的実施例に従う皮膚を通る骨伝導デバイスの取り外し可能なコンポーネントを図式的、概念的に示す図。
【図３】少なくともいくつかの例示的実施例に従う受動通皮骨伝導デバイスを図式的、概念的に示す図。
【図４】少なくともいくつかの例示的実施例に従う能動通皮骨伝導デバイスを図式的、概念的に示す図。
【図５】図２の骨伝導デバイスの振動電磁アクチュエータ結合アセンブリの例の断面図。
【図６】図５の振動電磁アクチュエータ結合アセンブリのインプラントされた橋台への接続を示す図式的な図。
【図７Ａ】図５のアセンブリからのコンポーネントの取り外しに関する処理動作を現す断面図。
【図７Ｂ】図５のアセンブリからのコンポーネントの取り外しに関する処理動作を現す断面図。
【図７Ｃ】図５のアセンブリからのコンポーネントの取り外しに関する処理動作を現す断面図。
【図８Ａ】図４の実施例の外部コンポーネントの例を示す断面図。
【図８Ｂ】図４の実施例の外部コンポーネントの例を示す断面図。
【図８Ｃ】図３の実施例の外部コンポーネントの例を示す断面図。
【図９】例示の電磁変換器における静的磁束を描く図。
【図１０】図９の例示の電磁変換器の特定のコンポーネントを描く図。
【図１１】代替実施例における例示的な電磁変換器を描く図。
【図１２Ａ】種々の実施例および/またはその変形による種々の電磁変換器における渦電流(eddy current)を概念的に描く図。
【図１２Ｂ】種々の実施例および/またはその変形による種々の電磁変換器における渦電流(eddy current)を概念的に描く図。
【図１２Ｃ】種々の実施例および/またはその変形による種々の電磁変換器における渦電流(eddy current)を概念的に描く図。
【図１３】もう一つの実施例による例示の電磁変換器の断面図。
【図１４】代替実施例による例示の電磁変換器を描く図。
【図１５】もう一つの実施例による例示の電磁変換器の断面図。
【詳細な説明】
【００１１】
図１Ａは、実施例を実施することができる骨伝導デバイス１００Ａの透視図である。受容者は外耳１０１、中耳１０２および内耳１０３をもつ。外耳１０１、中耳１０２および内耳１０３のエレメントを下に説明し、続いて骨伝導デバイス１００を説明する。
【００１２】
完全に機能的な人間の聴覚の解剖図では、外耳１０１は耳介１０５および耳道１０６からなる。サウンド波すなわち音響圧力１０７が耳介１０５で集められ耳道１０６に導かれる。耳道１０６の末端を横断して存在するのが鼓膜１０４であり、これが音響波１０７に応答して振動する。この振動が中耳１０２の３つの骨を通って楕円形のウィンドウすなわち穿孔オヴァリス(ovalis)２１０に結合する。この３つの骨は、集合的に耳小骨１１１と呼ばれ、ツチ骨１１２、キヌタ骨、およびアブミ骨からなる。中耳１０２の耳小骨１１１は音響波１０７をフィルタし増幅する作用をし、楕円形のウィンドウ２１０を振動させる。この振動が蝸牛１３９内の流体運動の波を設定する。この流体運動が転じて蝸牛１３９の内側を内張する毛細胞（図には示さない）をアクティブにする。毛細胞の活性化により神経インパルスがスパイラル状の神経節および聴覚神経１１６を通って脳（図には示さない）に転送され、そこでサウンドとして知覚される。
【００１３】
図１Ａは、デバイス１００の受容者の外耳１０１、中耳１０２および内耳１０３に対する骨伝導デバイス１００Ａの配置も示している。図に見られるように、骨伝導デバイス１００は、受容者の外耳１０１の後ろに配置され、サウンド信号を受け取るための入力エレメント１２６Ａを備えている。サウンド入力エレメントは、たとえばマイクロホン、テレコイルなどからなることができる。例示の実施例では、サウンド入力エレメント１２６Ａは、たとえば骨伝導デバイス１００Ａ上またはその内に配置されるか、または骨伝導デバイスから延びるケーブル上に配置されることができる。
【００１４】
例示の実施例では、骨伝導デバイス１００Ａが操作的に取り外し可能なコンポーネントおよび骨伝導インプラントからなる。操作的に取り外し可能なコンポーネントは骨伝導インプラントに操作的に取り外し可能に結合されている。操作的にかつ取り外し可能に結合とは、受容者が骨伝導デバイス１００Ａの通常の使用中に、操作的に取り外し可能なコンポーネントを比較的容易に取り付けたり取り外したりすることができるという態様で取り外し可能であることを意味する。このような取り外し可能な結合は、この後詳細に説明するように、操作的に取り外し可能なコンポーネントと骨伝導インプラントの対応する結合(mating、はめ合わせ)装置との結合アセンブリによって達成される。骨伝導インプラントを頭骨に取り付ける方法と対照して、このことを下に詳しく述べる。操作的に取り外し可能なコンポーネントは、サウンド・プロセッサ（図には示さない）、振動電磁アクチュエータおよび/または振動ピエゾ電気アクチュエータその他のアクチュエータ（図には示さない、これらをこの明細書では類（genus）バイブレータの種(species)と呼ぶことがある）および/またはサウンド入力デバイス１２６Ａのような種々の他の動作コンポーネントを含む。これに関し、操作的に取り外し可能なコンポーネントは、この明細書ではバイブレータ・ユニットと呼ぶことがある。より具体的には、サウンド入力デバイス１２６Ａ（たとえば、マイクロホン）が受け取ったサウンド信号を電気信号に変換する。これらの電気信号がサウンド・プロセッサによって処理される。サウンド・プロセッサはアクチュエータを振動させる制御信号を発生する。言い換えると、アクチュエータは電気信号を受容者の頭骨に振動を与える機械的な運動に変換する。
【００１５】
図に見られるように、骨伝導デバイスの操作的に取り外し可能なコンポーネントは、さらに結合アセンブリ２４０を備え、これは操作的に取り外し可能なコンポーネントを受容者にインプラントされている骨伝導インプラント（アンカーシステムとか固定システムとか呼ばれることもある）に操作的に取り外し可能に取り付けるよう構成されている。図１の実施例では、骨伝導インプラントの例示的な実施例に関して下に説明する態様で受容者にインプラントされている骨伝導インプラント（図には示さない）に結合アセンブリ２４０が結合されている。簡単には、例示としての骨伝導インプラントは、ネジで骨固定物(bone fixture)に取り付けられた経皮取り付け部(percutaneous abutment)を含むことができ、骨固定物は、受容者の頭骨１３６に固定されている。取り付け部は骨１３６にネジ止めされた骨固定物から筋肉１３４、脂肪２８おおび皮膚２３２を通って延びるので、結合アセンブリをこれに取り付けることができる。このような経皮取り付け部は、機械的な力の効率的な伝達を可能にする結合アセンブリのための取り付け箇所を提供する。
【００１６】
ここで説明する実施例の詳細の多くは経皮骨伝導デバイスに関するものであるが、ここで開示する事項の一部またはすべては振動電磁アクチュエータを使用する通皮(transcutaneous)骨伝導デバイスその他のデバイスで使用しうる。たとえば、実施例はここに開示する電磁アクチュエータを使用する能動通皮骨伝導システムおよびその変形を含み、少なくとも一つの能動コンポーネント（たとえば、電磁アクチュエータ）が皮下にインプラントされている。実施例は、ここに開示する電磁アクチュエータを使用する受動的な通皮骨伝導システムおよびその変形をも含み、これらでは皮下に能動コンポーネント（たとえば、電磁アクチュエータ）はインプラントされておらず（外部デバイス中に配置されている）、インプラント可能な部分はたとえば磁気圧力プレートである。受動的な通皮骨伝導システムのいくつかの実施例は、電磁アクチュエータを内蔵するバイブレータ（外部デバイスに配置されている）が、受容者の皮膚に押しつけることによって使用位置に保持される。例示としての実施例では、インプラント可能な保持アセンブリが受容者にインプラントされており、このアセンブリは骨伝導デバイスを受容者の皮膚に押しつけるよう構成されている。他の実施例では、バイブレータは磁気結合（磁性材料および/または磁石が受容者にインプラントされ、バイブレータが磁気回路を完結させるための磁石および/または磁性材料をもっており、これによりバイブレータが受容者に結合される）を介して皮膚に保持されている。
【００１７】
より具体的には、図１Ｂが実施例を実施することができる通皮骨伝導デバイス１００Ｂを現す。
【００１８】
図１Ｂはデバイス１００の受容者の外耳１０１、中耳１０２および内耳１０３との関係で、骨伝導デバイス１００Ｂの配置をも示している。図に見られるように骨伝導デバイス１００が受容者の外耳１０１の後ろに配置されている。骨伝導デバイス１００Ｂは外部コンポーネント１４０Ｂおよびインプラント可能コンポーネント１５０からなる。骨伝導デバイス１００Ｂは、サウンド信号を受け取るためのサウンド入力エレメント１２６Ｂを有する。サウンド入力エレメント１２６Ａと同様にサウンド入力エレメント１２６Ｂは、たとえばマイクロホン、テレコイルなどでありうる。例示としての実施例では、サウンド入力エレメント１２６Ｂはたとえば骨伝導デバイス上または内部、骨伝導デバイス１００Ｂから延びるケーブルまたはチューブ上などに配置されることができる。代わりにサウンド入力エレメント１２６Ｂは、受容者の皮下にインプラントするか、受容者の耳に配置することができる。サウンド入力エレメント１２６Ｂはたとえば外部のオーディオ・デバイスからのようにサウンドを示す電子信号を受信するコンポーネントでもあり得る。たとえば、サウンド入力エレメント１２６Ｂは、これに電子的に接続されたＭＰ３プレイヤーから電気信号の形でサウンド信号を受信しうる。
【００１９】
骨伝導デバイス１００Ｂはサウンド・プロセッサ（図には示さない）、アクチュエータ（図には示さない）、および/または種々の他の動作コンポーネントからなる。操作において、サウンド入力デバイス１２６Ｂがサウンドを電気信号に変換する。この電気信号はサウンド・プロセッサがアクチュエータを振動させる制御信号を発生するために使われる。言い換えると、アクチュエータは、電気信号を機械的振動に変換し、これが受容者の頭骨に伝えられる。
【００２０】
実施例によっては、取り付けシステム１６２を使ってインプラント可能なコンポーネント１５０を頭骨１３６に固定してもよい。下に説明するように、取り付けシステム１６２は頭骨１３６にネジ止めされた骨であることができ、これがインプラント可能なコンポーネント１５０に取り付けられている。
【００２１】
図１Ｂの一つの構成では、骨伝導デバイス１００Ｂは受動通皮骨伝導デバイスであり得る。すなわち、アクチュエータのような能動コンポーネントは受容者の皮膚１３２の下にはインプラントされていない。このような構成では、能動アクチュエータは、後述するように外部コンポーネント１４０Ｂ内に配置されている。インプラント可能なコンポーネント１５０の磁気プレートが、機械的および/または外部の磁気プレートによって発生される磁界を介して皮膚を通して伝えられる振動に応答して振動する。
【００２２】
図１Ｂのもう一つの構成では、骨伝導デバイス１００Ｂは能動通皮骨伝導デバイスであり、アクチュエータのような少なくとも一つの能動コンポーネントが受容者の皮膚１３２の下にインプラントされておりインプラント可能なコンポーネント１５０の一部となっている。下で説明するように、このような構成では、外部コンポーネント１４０Ｂは、サウンド・プロセッサおよび送信機からなることができ、インプラント可能なコンポーネント１５０は、信号受信機および/または種々のその他の電子回路/デバイスからなることができる。
【００２３】
図２は、経皮骨伝導デバイスの使用を示す図１Ａのものに対応する実施例による骨伝導デバイス２００の実施例である。骨伝導デバイス２００は図１Ａのエレメント１００Ａに対応し、ハウジング２４２、振動電磁アクチュエータ２５０、結合アセンブリ２４０を備え、結合アセンブリ２４０はハウジング２４２から延び振動電磁アクチュエータ２５０に機械的にリンクしている。集合的に振動電磁アクチュエータ２５０および結合アセンブリ２４０が振動電磁アクチュエータ結合アセンブリ２８０を形成する。振動電磁アクチュエータ結合アセンブリ２８０はバネ２４４によってハウジング２４２につるされている。例示としての実施例では、ばね２４４が結合アセンブリ２４０に接続され、振動電磁アクチュエータ２５０は結合アセンブリによって支持されている。ここではバネを使用する実施例を説明しているが、代替実施例は他のタイプの弾力エレメントを使用することができる。したがって、特に注記しないかぎり。ここでのバネの開示は任意の他のタイプの弾力エレメントの開示を含み、それはそれぞれの実施例および/またはその変形を実施するのに使用することができる。
【００２４】
図３は通皮骨伝導デバイスの例示としての実施例を描いており、外部デバイス３４０（たとえば図１Ｂのエレメント１４０Ｂに対応する）およびインプラント可能なコンポ年と３５０（たとえば図１Ｂのエレメント１５０に対応する）を含んでいる。図３の通皮骨伝導デバイス３００は、受動通皮骨伝導デバイスであり、振動電磁アクチュエータ３４２が外部デバイス３４０内に配置されている。振動電磁アクチュエータ３４２が外部コンポーネントのハウジング３４４内に配置されプレート３４６に結合されている。プレート３４６は永久磁石の形、または外部デバイス３４０とインプラント可能コンポーネント３５０と間で外部デバイス３４０を受容者の皮膚に保持するに十分な磁気的引力を作る磁界を発生するかこれに反応する任意の形のものであることができる。
【００２５】
例示としての実施例では、振動電磁アクチュエータ３４２は電気信号を振動に変換するデバイスである。操作において、サウンド入力エレメント１２６がサウンドを電気信号に変換する。ぐたいてきには、通皮骨伝導デバイス３００がこの電気信号を振動電磁アクチュエータ３４２に提供するか、または電気信号を処理するサウンド・プロセッサ（図には示さない）に提供し、次いで処理された信号を振動電磁アクチュエータ３４２に提供する。振動電磁アクチュエータ３４２は電気信号（処理されたものまたは処理されてないもの）を振動に変換する。振動電子アクチュエータ３４２はプレート３４６に機械的に結合されているので、振動が振動電磁アクチュエータ３４２からプレート３４６に伝わる。インプラントされたプレートアセンブリ３５２は、インプラント可能なコンポーネント３５０の一部であり、外部デバイス３４０とインプラント可能なコンポーネント３５０との間に外部デバイス３４０を受容者の皮膚に保持するに十分な磁気的引力を形成する磁界を発生しまたは磁界に反応するなどの、永久磁石の形でありうる強磁性材料で作られている。したがって、外部デバイス３４０の振動電磁アクチュエータ３４２によって生成される振動は、皮膚を横切ってプレートアセンブリ３５２のプレート３５５に伝えられる。これは皮膚を通る振動の機械的伝導の結果として達成され、外部デバイス３４０が皮膚に直接接触していること、および/または二つのプレートの間の磁界の結果である。この振動は、経皮骨伝導デバイスに関して詳述される接合部のような固形物で皮膚を貫通することなく伝えられる。
【００２６】
図からわかるようにインプラントされたプレートアセンブリ３５２はこの実施例では骨固定具（フィックスチャ）３４１に実質的にしっかり取り付けられている。プレートネジ３５６がプレートアセンブリ３５２を骨取り付け部に保持するために使われている。骨固定具３４１と接するプレートネジの部分は、下にさらに詳しく記述する取り付けネジに実質的に対応し、プレートネジ３５６は経皮骨伝導デバイスにおいて使用される既存の骨固定具に容易にフィットする。例示としての実施例において、プレートネジ３５６は骨固定具３４１に取り付けネジを取り付けおよび/または取り除くために使用されるのと同じツールおよび手順を使用してプレートネジ３５６を骨固定具３４１（そしてプレートアセンブリ３５２に）に取り付けおよび/または取り外すことができる。
【００２７】
図４は、もう一つの実施例による通皮骨伝導デバイスの例示的な実施例を描いており、外部デバイス４４０（たとえば図１Ｂのエレメント１４０Ｂに対応する）およびインプラント可能なコンポーネント４５０（たとえば図１Ｂのエレメント１５０に対応する）を含んでいる。図４の通皮骨伝導デバイス４００は能動通皮骨伝導デバイスであり、振動電磁アクチュエータ４５２がインプラント可能なコンポーネント４５０内に配置されている。具体的には電磁アクチュエータ４５２の形の振動エレメントがインプラント可能なコンポーネント４５０のハウジング４５４内に配置されている。例示的な実施例においては、通皮骨伝導デバイス３００に関して上述した振動電磁アクチュエータ３４２と同様に、振動電磁アクチュエータ４５２は電気信号を振動に変換する。
【００２８】
外部コンポーネント４４０はサウンドを電気信号に変換するサウンド入力エレメント１２６を含んでいる。具体的には、通皮骨伝導デバイス４００はこの電気信号を振動電磁アクチュエータ４５２またはサウンド・プロセッサ（図には示さない）に送る。サウンド・プロセッサは電気信号を処理し、処理した電気信号を受容者の皮膚を通して磁気誘導リンクによりインプラント可能なコンポーネント４５０に提供する。この点で、外部コンポーネント４４０の送信コイル４４２は、この信号を、インプラント可能なコンポーネント４５０のハウジング内に配置された受信コイル４５６に送信する。ハウジング４５８内の、たとえば信号発生器またはインプラントされたサウンド・プロセッサのようなコンポーネント（図には示さない）が、次いで電気信号を発生し、電気リードアセンブリ４６０を介して振動電磁アクチュエータ４５２に送る。振動電磁アクチュエータ４５２はこの電気信号を振動に変換する。
【００２９】
振動電磁アクチュエータ４５２はハウジング４５４に機械的に結合されている。ハウジング４５４および振動電磁アクチュエータ４５２は集合的に振動装置４５３を形成する。ハウジング４５４は骨固定具３４１に実質的にしっかり取り付けられている。
【００３０】
図２−４の実施例に関し、各実施例は固定用のコンポーネントを有する。図２に関し、固定用のコンポーネントは結合アセンブリ２４０の形の受容者結合である。図３では、固定用のコンポーネントは圧力プレート３４６のコンポーネント（詳細は示していない）である。図４では、固定用のコンポーネントは骨固定具３４１を含んでいる。
【００３１】
さらに下に詳細を記述するように、ここに開示する種々の事項および/またはその変形を図２−４の種々の実施例および/またはその変形に適用することができる。例示的な実施例では、ここに記述する種々の事項およびその変形を図２−４の種々の実施例に適用して人工聴覚器官を得ることができ、この人工聴覚器官では振動電磁アクチュエータが固定用のコンポーネントと振動的に連通しており、種々の実施例のサウンド捕捉デバイスによって捕捉されたサウンドに応答して振動電磁アクチュエータにより発生される振動が、少なくとも聴覚を効果的に喚起する態様で受容者の骨に最終的に伝えられる。「聴覚を効果的に喚起する」とは、振動が、１８歳から４０歳の間の典型的な人で、そのような振動を受け取る完全に機能している蝸牛を有する人が、この振動によって伝えられるスピーチを理解することができ会話を進めることができるようなものであることを意味する。ここで、振動がスピーチを伝えており、この人がそのスピーチのベースとなる言語に精通しているものとする。このことを言った上で、実施例は１８歳より若い人４０歳より上の人で完全に機能する蝸牛をもたない人、またはスピーチのベースとなる言語に精通しない人についても、効果的に聴覚を喚起することができることを付言する。言い換えると、１８歳から４０歳という個体群は例としてだけのもので制限的なものではない。
【００３２】
ここに記載する骨伝導デバイスのいくつかの実施例またはその変形において使用かの運亜振動電磁アクチュエータの例示的な特徴は、図１Ａの経皮骨伝導デバイスで使われる振動電磁アクチュエータを例として説明する。その任意のまたはすべての特徴またはその変形が通皮骨伝導デバイスその他のタイプの人工器官および/または医療デバイスその他のデバイスで使用しうる。ここで説明する実施例は電磁変換器をアクチュエータとして参照するが、これらの教示事項は振動を受け取り振動から得られる信号を出力する電磁変換器に同様に適用可能である。
【００３３】
図５は、振動電磁アクチュエータ結合アセンブリ５８０の断面図であり、上述の振動電磁アクチュエータ結合アセンブリ２８０に対応する。振動電磁アクチュエータ結合アセンブリ５８０はアクチュエータの形の振動電磁変換器５５０および結合アセンブリ５４０を含む。結合アセンブリ５４０はボビン延長部５５４Ｅ（下に詳細を説明する）に取り付けられたカップリング５４１、およびスリーブ５４４（保護スリーブ）を含む。図５に見られるように、この例示的実施例ではカップリングアセンブリ５４０は一体的なコンポーネントではない。たとえば、スリーブ５４４はカップリング５４１から分離したコンポーネントである。
【００３４】
図５に見られるように、振動電磁アクチュエータ５５０はボビンアセンブリ胃５５４およびカウンタウェイト・アセンブリ５５５を含む。ボビンアセンブリ５５４はボビン５５４Ａおよびコイル５５４Ｂを含み、コイル５５４Ｂはボビン５５４Ａのコア５５４Ｃの周りに巻かれている。図の例では、ボビンアセンブリ５５４は半径方向に対称である。特にことわらない限り、ここで説明する電磁変換器は半径方向に対称である。
【００３５】
カウンタウェイト・アセンブリ５５５はバネ５５６および５５７、永久磁石５５８Ａおよび５５８Ｂ、ヨーク５６０Ａ、５６０Ｂおよび５６０Ｃ、スペーサ５６２、およびカウンタウェイト・マス５７０を含む。スペーサ５６２はバネ５５６とカウンタウェイト・アセンブリ５５５の他のエレメントとの間の伝導性サポートを提供するが、実施例によってはスペーサは存在せず、バネがカウンタウェイト・マス５７０だけに接続されており、他の実施例ではバネがスペーサだけに接続されている。バネ５５６および５５７は、スペーサ５２２および５２４を介してボビンアセンブリ５５４をカウンタウェイト・アセンブリ５５５の残りの部分に接続し、コイル５５４Ｂによって生成された動的磁束の相互作用で、カウンタウェイト・アセンブリ５５５がボビンアセンブリ５５４に対し相対的に動くことができるようにする。静的磁束がカウンタウェイト・アセンブリ５５５の永久磁石５５８Ａおよび５５８Ｂによって生成される。この点で、カウンタウェイト・アセンブリ５５５は静的磁束発生器であり、永久磁石５５８Ａおよび５５８Ｂはそれぞれの南極が向かい合い、それぞれの北極が互いから離れる方向に向いている。他の実施例では、それぞれの南極が違いから離れる方向を向き、それぞれの北極が向かい合っている。
【００３６】
コイル５５４Ｂは特に交流で駆動されてコイル５５４周りに動的な磁束を作ることができる。例示の実施例ではボビン５５４Ａは軟鉄でできている。ボビン５５４Ａの鉄は、動的磁束のための磁気伝導路を形成するため伝導性である。例示の実施例では、カウンタウェイト・アセンブリ５５５のヨークも軟鉄でできていて、静的磁束のための磁気伝導路を形成するため伝導性である。
【００３７】
ボビンおよびヨークの軟鉄は、それぞれの磁界の磁気結合を増大させるタイプのものであることができ、それぞれの磁界のための磁気伝導路を提供する。下に詳しく記述するように、少なくともいくつかの他の実施例では、少なくともボビンについて他のタイプの材料を使用することができる。
【００３８】
振動電磁アクチュエータ５５０は、２つの軸方向のエアギャップ５７０Ａおよび５７０Ｂを含み、これらはボビンアセンブリ５５４とカウンタウェイト・アセンブリ５５５との間に位置している。図５に示される、半径方向に対称なボビンアセンブリ５５４およびカウンタウェイト・アセンブリ５５５に関し、エアギャップ５７０Ａおよび５７０Ｂがボビンアセンブリ５５４とカウンタウェイト・アセンブリ５５５との間で主たる相対運動の方向に延び、これを矢印５００Ａで示す（主たる相対運動は下で詳細を説明する）。
【００３９】
さらに図５に見られるように、振動電磁アクチュエータ５５０はボビンアセンブリ５５４とカウンタウェイト・アセンブリ５５５との間に配置されている２つの軸方向のエアギャップ５７２Aおよび５７２Bを含む。半径方向に対称なボビンアセンブリ５５４およびカウンタウェイト・アセンブリ５５５に関し、エアギャップはボビンアセンブリ５５４とカウンタウェイト・アセンブリ５５５との間の相対運動の方向周りに延びる。図５に見られるように、永久磁石５５８Aおよび５５８Bがそれらの南極が向かい合い、それらの北極が反対方向を向くように設けられている。
【００４０】
図５の電磁アクチュエータにおいて、半径方向のエアギャップ５７２Ａおよび５７２Ｂがそれぞれボビン５５４Ａとヨーク５６０Ｂおよび５６０Ｃの間の静的磁束を閉じる。さらに半径方向（放射状）のエアギャップ５７０Ａおよび５７０Ｂがボビン５５４Ａとヨーク５６０Ａとの間の静的および動的磁束を閉じる。したがって、半径方向に対称な図５のデバイスには合計４つのエアギャップがある。「エアギャップ」という用語は静的磁界を生成するコンポーネントと動的磁界を生成するコンポーネントとの間のギャップをいい、そこには比較的高いリラクタンスがあるが、磁束はそれでもギャップを流れる。これらのギャップは磁界を閉じる。例示としての実施例ではエアギャップは、実質的な磁気特性をもつ材料がエアギャップにないかあってもわずかであるギャップである。したがって、エアギャップは空気で満ちたギャップに限られない。磁界を閉じないギャップも存在するかもしれないが、それらはエアギャップではない。
【００４１】
図５の電磁アクチュエータはバランスしたアクチュエータである。代替実施例では、バランスしたアクチュエータはボビン５５４Ｂの外側の上および下に追加の軸方向のエアギャップを加えることにより達成することができる（そして、変形によっては半径方向のエアギャップは追加の軸方向のエアギャップの追加があるので存在しない）。そのような代替構成では、ヨーク５６０Ｂおよび５６０Ｃはボビン５５４Ｂの外側の上を越えるように延びるよう再構成されている（永久磁石５５８Ａおよび５５８Ｂ並びに/またはヨーク５６０Ａの構成は、アクチュエータの有用性を達するために再構成されうる。）
実施例によっては図５の構成よりも少ないエアギャップを使用しうる。同様に実施例によっては４つの軸方向のエアギャップを利用し、軸方向のエアギャップは使わない。実施例によっては、より少ない数のエアギャップを使う。少なくともいくつかの実施例では、ここに開示する事項およびその変形は動的磁束が通るボビンをもつ任意のバランスした電磁アクチュエータに適用することができる。さらに代替実施例では、ここに開示する事項およびその変形は動的磁束が通るボビンに少なくとも関してアンバランスの電磁アクチュエータに適用することができる。
【００４２】
図５に見られるように、振動電磁アクチュエータ５５０はそれ自体を完全に通る通路をもっている。（わかりやすくするために、断面図の「背景線」は図面に現していない。図５の実施例による少なくとも半径方向に対称な変換器において、バネ５５６および５５７、ボビン６６４などのようなコンポーネントが変換器の長軸周りに延びる。そのような背景線を描くとここに開示する概念から注意をそらすことになるであろう。）より具体的には、ボビン５５４Ａはボア５５４Ｄの形のスペースを含み、これはボビンの延長部５５４Ｅを含む全体を通る。このスペースがボビン５５４Ａを通る通路を構成する。スペーサ５２２および５２４、ならびにバネ５５６および５５７も全体を通るボアの形でスペースを有する。これらのスペースがスペーサおよびバネを通る通路を構成する。
【００４３】
さらに図５を参照すると、図５ではスペースが通路であるが、ボビン５５４Ａ内のスペースから接続装置５４０への通路があることがわかる。スペースおよび通路は一つであり同じであるが、代替実施例では通路はスペースと異なっていてもよい（たとえば、ボビン延長部５５４Ｅがボビン５５４Ａ徒は別のコンポーネントである実施例（たとえば、ボビン５５４Ａおよびボビン延長部５５４Ｅが一体的なコンポーネントでない）など）。
【００４４】
図５に描く実施例はボビン内のスペースから接続装置への妨害のない通路を含むが、他の実施例は通路を形成するスペースが他の固体または流体の材料で満たされているか含んでいる構成を含むことができ、この材料が除去可能であればこれでも通路が存在する。さらにボビン内のスペースが他の固体または流体の材料で満たされているか含んでいるとしても、この材料が除去可能であればこれでもスペースは存在する。（除去可能とは、この材料が構造を変えることなく取り除かれることをいい、操作の逆を行うか除去する材料を新しい材料で置換するなどの態様で取り除かれ、構造はもとの形に復元される。たとえばドリルでのみ除去することができる材料は除去可能ではなく、除去のためにコンポーネントをプラスチック状に変形することができ、新しいコンポーネントで置き換えられてもとの形を達成するものは除去可能である。）
接続装置全体を電磁変換器が一部となっているデバイスまたは少なくともデバイスの一部からから除去することを要し、接続装置「へ」のスペースからパスするデバイスは、変換器のボビン内のスペースから接続装置「へ」の通路を含まない。この点で、それはもはやデバイスではなく、デバイスアセンブリにもはや存在しない互いに分かれた部品である。
【００４５】
さらにボビン内のスペースはボビン内のスペースを構成する（たとえば、下のいくつかの実施例に関し、ボビン内のスペースを通るチューブ内のスペースはボビン内のスペースを構成する）。実施例によっては、変換器が駆動されるときボビン内で動くコンポーネントが配置されたスペースを含むボビンアセンブリがある（たとえば、カウンタウェイト・アセンブリは動くがボビンおよびその中のコンポーネントは動かない、またはその逆）。
【００４６】
図５の実施例において、ボビン５５４Ａ内のスペースは少なくとも部分的に一体的なボビンコンポーネント（ボビン５５４Ａ）内の空洞セクションを構成する。図に見られるように、それはボビン５５４Ａを完全に貫通して延びる。コイル５５４Ｂがボビン５５４Ａ周りにあり、動的な磁束を発生するよう構成されており、ボビン内のスペース周りに延びる。
【００４７】
さらに図５を参照すると、結合アセンブリ５４０の形の結合装置が全体的にボビンアセンブリ５５４と、そして特にボビン５５４Ａと固定関係にあることがわかる。図５に描かれる実施例では、結合アセンブリが振動電磁変換器５５０からの振動エネルギーを伝えるよう構成されている。前述のようにここでの実施例はアクチュエータを指向しているが、他の実施例は振動エネルギーを受け取り振動エネルギーを電気出力に変換する変換器を指向する（たとえば、アクチュエータの逆）。したがって、例示の実施例はボビンと固定関係にあり電磁変換器との間で振動エネルギーを伝える結合装置を含む。例示の実施例ではそのような変換器は図５の実施例に正確に対応するかこれに類似する。
【００４８】
図５の実施例はボビンアセンブリ５５４に直接固定された結合アセンブリ５４０を描くが、代替実施例ではこの２つのコンポーネントの間に介在コンポーネントがあり、結合アセンブリ５４０は間接的にボビンアセンブリ５５４に固定されている。したがって、結合アセンブリ５４０は電磁変換器５５０との間で直接振動エネルギーを伝えるが、他の実施例では結合アセンブリ５４０は電磁変換器５５０との間で間接的に振動エネルギーを伝達してもよい。同様にボビン延長部５５４Ｅは一体的なボビン５５４Ａの一部として描かれているが、ボビン延長部５５４Ｅまたは少なくとも結合アセンブリが取り付けられているコンポーネント部分は、電磁変換器５５０とは別のコンポーネントでありうる。ボビンアセンブリおよび/またはボビンアセンブリのコンポーネントと結合アセンブリおよび/または結合アセンブリのコンポーネントとの間に固定関係を確立することができる任意のデバイス、システムまたは方法を少なくともいくつかの実施例で利用することができる。
【００４９】
ここで詳細を記述した特徴をもつボビンおよび/またはその変形のいくつかの例示の有用性をこれから説明する。
【００５０】
一つの例としての有用性は、いくつかの実施例において、ボビン内のスペースから結合装置への通路が結合コンポーネントにアクセスするのに使用することができることである。結合コンポーネントは電磁変換器を受容者の骨のような他の構造と振動伝達関係にする（直接的にまたは間接的に）。図６、８Ａ、８Ｂおよび８Ｃがそのような実施例を描く。これらを説明する。
【００５１】
図６は、図５の実施例の使用を描いており、振動電磁アクチュエータ結合アセンブリ５８０を介して受容者の骨１３６に振動エネルギーが提供される。具体的には、図６は取り付け部６２０にスナップ結合した結合アセンブリ５４０を示し、取り付け部６２０は取り付けネジ６７４により骨固定具３４１に固定されている。操作において、振動電磁変換器５５０によって発生された振動エネルギーはボビン延長部５５４Ｅを通り結合アセンブリ５４０に伝わり、次いで結合アセンブリ５４０から取り付け部６２０、骨固定具３４１、骨１３６へと伝わる。実施例では振動伝導が聴覚を効果的に喚起する。ボビン５５４Ａからの通路が結合アセンブリ５４０に延び、こうして電磁変換器５５０からの振動エネルギーを伝えるよう構成された接続装置に延びる。したがって、電磁変換器５５０は電磁アクチュエータである。しかし、上述のように代替実施例では、電磁変換器５５０は受容者などから振動を受け取る。そのような実施例では、ボビン５６４Ａを通る通路が電磁変換器５５０に振動エネルギーを伝えるよう構成された接続装置に延びる。
【００５２】
実施例では、取り付け部は概してへこんだ（凹形の）コンポーネントで、その頂部に空洞部をもち、そこに結合アセンブリ５４０が収まる（結合アセンブリ５４０の歯が空洞部にはまる）。空洞部は取り付け部の端に張り出し部を有し、その周りに結合の歯が延びて取り付け部にスナップ・フィットする。取り付け部の実施例はシャリス(shallis)形状の外郭を必要とするが、他の実施例では実質的に円筒状または砂時計形状などであり得る。
【００５３】
ここで詳述した結合アセンブリ５４０の実施例はスナップ・フィット構成を指向しているが、代替実施例では、磁気結合をつかうことができる。代わりにネジ留めを使うこともできる。実施例によっては、結合アセンブリ５４０が雌コンポーネントに対応し、取り付け部が雄コンポーネントに対応し、代替実施例ではこの関係が逆になる。取り外し可能なコンポーネントをインプラントされた人工器官に結合させることができる任意のデバイス、システムまたは方法を実施例によっては使用することができ、ここで教示した事項またはその変形を実施することができる。
【００５４】
上述のように振動電磁変換器結合アセンブリ５８０は結合アセンブリ５４０の一部である保護スリーブ５４４を含む。この点で、カプリング５４１はスナップ結合の雄部であり図６に見られるように取り付け部６２０の雌部にフィットする。
【００５５】
カプリング５４１の外周はその底部（すなわち取り付け部６２０に面する側）に人間の歯の間のスペースに似た態様のスペースをもち、スペースの幅は人間の歯の幅に比べると比例的に大きい。振動電磁変換結合アセンブリ５８０を取り付け部６２０に取り付ける際、取り付け部６２０とカプリング５４１との位置合わせミスを生じる可能性があり、取り付け部６２０の雌部を形成する外壁がカプリング５４１の歯の間のスペースに入りうる。（紙コップ（薄い紙のコップ）の頂部が２つの人間の歯の間のスペースに入るのに似ている。実施例によっては、これは有害な結果をもたらす（たとえば、この位置合わせミスの状態でコンポーネントが横方向に動かされるなら、歯が折れるかもしれない（これはあり得ない話ではない、経皮骨伝導デバイスは典型的には受容者の耳の後ろに取り付けられ、受容者は取り付けを見ることができないので））。
【００５６】
スリーブ５４４はカプリング５４１の最底部と取り付け部６２０との間に位置するよう横方向に突き出した部分を持つ固形のスリーブである。突き出す部分は、半径方向の軸周りに連続なので（たとえば、歯とは異なりスペースがない）、取り付け部６２０の雌部を形成する壁がカプリング５４１の歯の間に入るのを妨げる。（これは、たとえば、概して「Ｕ」の形の柔らかいプラスチック片を人間の一組の下または上の歯の先端に位置づけることに似ている。歯の縦方向に動くものは、先ず「Ｕ」形状のプラスチックに当たるので、歯の間のスペースに入ることができない。）この点で、振動電磁変換器結合アセンブリ８５０は接続装置を含み、この接続装置は、取り付け部６２０との接続装置のインターフェイス体制の数を制限するよう構成された保護スリーブ５４４を含む。実施例では保護スリーブがなければ存在するものに少なくとも関してそうなっている（たとえば、スリーブがなければ、取り付け部の壁はカプリング５４１の歯の間のスペースにはまり、スリーブがあれば取り付け部の壁はカプリング５４１の歯の間のスペースにはまることができない）。
【００５７】
スリーブ５４４は摩耗、構造的疲弊、破損（たとえば、プラスチック製であり得るスリーブ５４４が典型的にはチタンその他の金属製である取り付け壁に強く押しつけられる）などにさらされるアイテムである。したがって、実施例によっては、スリーブ５４４を振動電磁変換器結合アセンブリ５８０の残りの部分から取り外して新しいスリーブと交換するのが実用的である（実施例では、たとえばカプリング５４１を取り外すことなくこれができる）。代替実施例では、スリーブ５４４は交換される必要がない（たとえば、その条件が機能的である）が、取り外しは他のコンポーネントへのアクセスを可能にし、スリーブの取り外しなしでのコンポーネントの取り外しに比べると、容易に他のコンポーネントを取り外すことを可能にするので実用的である。実施例によっては、振動電磁変換器結合アセンブリ５８０を分解することなくまたは大きく分解することなくスリーブ５４４を交換できることは実用的である。たとえば、実施例では、アセンブリ５８０からスリーブ５４４だけを取り外すことが実用的である。（しかし、実施例によっては、図２の実施例の例のようにアセンブリ５８０がハウジング内につるされており、少なくともこのような実施例ではアセンブリ５８０はスリーブ５４４を取り外す前にハウジングから取り外されなければならない。）
これらに沿って、実施例では、アセンブリ５８０はスリーブ５４４へのアクセスがボビン５５４Ａ内のスペース５５４Ｄを通って得られるよう構成されている。図５に戻ると、このスペースから概して結合アセンブリ５４０に延び、特にスリーブ５４４に延びる通路が見られる。さらに、ボビン５５４Ａのスペースからスペーサ５２２を通りバネ５５７を通って延びる通路がある。このようにアセンブリ５８０の結合アセンブリ５４０の反対を向くサイドからアセンブリ５８０の結合アセンブリ５４０に面するサイドに延びる通路がある。この通路の用途を説明する。
【００５８】
図５の実施例に関し、スリーブ５４４はボビン延長部５５４Ｅの空洞部に締まり嵌め(interference fit)されている。この点で、ボビン延長部５５４Ａの空洞部に嵌るスリーブ５４４の外径は、所与の温度において、同じ温度でのその空洞部の締まり内径より大きい。実施例では、図５に描かれるアタッチメントは圧縮嵌めによって達成されているが、代替実施例では、縮小嵌めまたは膨張嵌め（たとえばコンポーネントの温度特性の差別により達成される）によって達成される。代替実施例では、スリーブ５４４はボビン延長部５５４Ｅにスリップ嵌めされ、スリーブ５４４をボビン延長部５５４Ｅに固定するために粘着剤などが使われる。さらに図５の実施例はスリーブ５４４とボビン延長部５５４Ｅとの間の接続を描くが、代替実施例では接続はスリーブとカプリング５４１などの他のコンポーネントとの間であり得、この例は例示のためだけであり制限的なものではない。
【００５９】
図５おおよび図６の実施例は、スナップ結合をもつものとして描かれているが、代替実施例では、結合は磁気であり得る。上述のように取り外し可能なコンポーネントをインプラントされた人工器官に結合することを可能にする任意のデバイス、システムまたは方法を少なくともいくつかの実施例で使用することができ、ここに開示する事項またはその変形を実施することができる。この点で、実施例では、磁石または強磁性材料をボビン延長部５５４Ｅのスペースに圧縮締めまたは締まり嵌めすることができる。強磁性材料の取り外しはここで説明したスリーブに関する取り外しに近い。
【００６０】
上述のように、実施例はボビン５５４Ａ内のスペース５５４Ｄを介してのスリーブ５４４へのアクセスを可能にする。図７Ａを参照すると、このアクセスは、ドリフト(drift、浮き部材)７２０が電磁変換器５５０のスリーブ５５４と反対のサイドからスリーブ５５４への通路をとおって延びることができるような実用的態様で使用することができる。実施例では、矢印７００で示すように、ドリフト７２０に電磁変換器５５０の一サイド上の位置で下方向の力を加え、この力がドリフト７２０を介して通路を通りスリーブ５４４に伝わる。十分強い力をドリフト７２０に加え、これがドリフト７２０を介して通路を通り、スリーブ６４４に伝わり、スリーブ６４４をボビン延長部５５４Ｅに保持する摩擦力、粘着力などに打ち勝ち、スリーブ６４４をボビン延長部５５４Ｅから取り外すことができる。図７Ｂおよび７Ｃはスリーブ５４４を延長部５５４Ｅから取り外す方法を描いている。
【００６１】
図７Ａから７Ｃに描かれている動作に関し、ドリフト７２０に加えられる力に対向する反作用力を提供する反作用アセンブリを使用することができる。制限的でない例示として、反作用アセンブリは、バネ５５６とカプリング５４１との間のボビン延長部５５４Ｄの露出部周りに延ばすことができ、ボビン延長部５５４Ｅに近い場所で、バネ５５６またはバネ５５６と反作用アセンブリとの間に配置されたスペーサに抗する上向きの反作用力を提供する。実施例ではこの反作用アセンブリはボビン延長部５５４Ｅを包むように動くコンポーネントで作ることができる。代替実施例では、反作用アセンブリはそのサイドからプラットフォームへと延びる開口を持つ（たとえば、ノッチ、「Ｕ」形状など）プラットフォームを含み、ボビン延長部５５４Ｅはその開口に入ることができ、プラットフォームがバネ５５６またはボビン延長部５５４Ｅ近くのスペーサに接することができる。反作用力を提供するのに使用することができる任意のデバイス、システムまたは方法を少なくともいくつかの実施例で使用することができる。
【００６２】
図８Ａを参照すると、図４の実施例のような通皮骨伝導デバイスにおいて使用する代替実施例が示されている（骨１３６以外の人体組織は簡単のため除外されている）。特に図８Ａは、図４の振動エレメント４５３に対応する能動通皮骨伝導デバイスの振動エレメント８５３Ａを描いている。振動エレメント８５３Ａは、ハウジング８５４Ａに収納された電磁変換器８５０Ａを含む。この実施例の電磁変換器８５０Ａは、図５野実施例のボビン延長部５５４Ｅに対応するボビン延長部８５４Ｇが図５の実施例におけるほど長くないことを除いて、上述の電磁変換器５５０に実質的に対応する。図からわかるように、ボビン延長部がスペーサ８２５を通ってハウジング８５４Ａの壁に延びている。実施例によっては、そのような延長部はない。例として電磁変換器８５０Ａはスペーサによって完全に支持されている。
【００６３】
図に見られるようにハウジング８５４Ａが変換器８５０Ａを完全に包んでいる。実施例ではハウジング８５４Ａが気密封止のおよび/またはヘリウムを入れた筐体（エンクロージャ、密閉箱）８０１Ａを提供する。ハウジング８５４Ａの底壁が骨固定具３４１の上面に輪郭を描いている。実施例では、図に見られるようにハウジングが骨取り付け具３４１の外郭に輪郭を描いている。骨取り付け具に接するハウジング部分は骨取り付け具境界セクションを形成し、骨取り付け具３４１の露出セクションに輪郭を描いている。実施例では、このセクションは、このセクションに関し少なくともスリップ嵌めまたは締まり嵌めが存在するようにサイズがとられ、寸法がとられている。他の実施例では、輪郭は異なり得る。実施例によっては、輪郭がなく、ハウジングの底壁が骨取り付け具３４１の上面の上に座している。集合的に骨取り付け具および電磁バイブレータ８５０Ａと接するハウジング部分は電磁変換器結合アセンブリ８８０Ａを形成する。
【００６４】
実施例では電磁バイブレータ８５０Ａと振動エレメント８５３Ａのその他の関連するコンポーネントとの間の境界面は振動伝達路を確率するに十分であり、振動エレメント８５３Ａと骨取り付け具３４１および/または骨１３６との間に適切な境界面を提供するので、振動伝達によって聴覚が効果的に誘起される。
【００６５】
ハウジング８５４Ａの境界コンポーネントは電磁変換器８５０Ａのボビンに固定関係にある接続装置に対応し、接続装置は電磁変換器８５０Ａとの間で振動エネルギーを間接的に伝導するよう構成されている。ハウジング８５４Ａを骨取り付け具３４１と境界を接することを可能にする任意のデバイス、システムまたは方法をいくつかの実施例で使用することができ、ここに開示する事項またはその変形を実施することができる。制限的でない例としてそのような開示事項は、骨伝導聴覚を誘起するために、電磁変換器８５０Ａとの間のハウジング８５４Ａを通って振動を伝導させることを含む。
【００６６】
さらに図８Ａを参照すると、ハウジング８５４Ａはハウジング内壁８５４Ａ１を含み、これがハウジング８５４Ａのトップから底部に延びる。したがって、図８Ａの実施例では、ハウジング８５４Ａはトップまたは底部から見ると「ドーナツ」形状をしている。振動エレメント８５３Ａの縦軸に直角な面での壁８５４Ａ１の断面は円筒状であり、内円筒と外円筒によって区切られている。したがって、トップから底部またはその逆にハウジング８５４Ａを通る通路があり、図８Ａの実施例では骨取り付け具３４１の一部がこの通路に嵌り込んでいるが、他の実施例では嵌り込んでいない。図８Ａに見られるように壁８５４Ａ１および通路が電磁変換気宇５５０のボビンを通るスペースに延びている。これは、ボビン内のスペースを通って振動エレメント８５３Ａ（たとえばハウジング８５４Ａの輪郭底壁など）の接続装置へのアクセスを提供する。図８Ａの実施例では、貫通ボルト８７４がハウジング内壁８５４Ａ１内のスペースを通って延び、したがってボビン内のスペースを通って延びる。代替実施例では骨取り付け具に接続するよう構成された他の固定システムが使われる。貫通ボルト８７４は、ネジが切ってある端部８７８をネジ嵌めすることによって緊張を生じ、骨取り付け具３４１の受け入れ部に入るように構成されており、この端部はシャフト８７２を介してヘッド（頂部）に接続されている。実施例では、受け入れ部は経皮骨伝導デバイスの取り付けネジの受け入れ部に対応する。図に見られるようにヘッドはハウジング/ボビンを通る通路の直径より大きく、ボルト８７４はハウジングを骨取り付け具に積極的に保持する。これは、骨取り付け具３４１を介してボルト・ヘッドおよびハウジングの底部によりハウジング８５４Ａのトップに圧縮力を提供する。実施例では、ヘッドの全てまたは一部がハウジング内に延びることができる（たとえば、ヘッドのトップがハウジングのトップと同一面であるかまたはへこんでいることができる）。実施例では、ボルトはツールを受け入れるよう構成されたユニグリップ(uni-grip)受け入れ部８７６を含み、ボルト８７４にトルクを加えぼると８７４を骨取り付け具３４１にネジ込むことができる。すなわち、実施例ではボルト８７４は取り付けネジを骨固定具３４１に取り付けまたは取り外すのに使用したのと同じツールおよび手順を使ってボルト８７４を骨固定具３４１に取り付けまたは取り外すことができる。骨固定具３４１と接する貫通ボルト８７４の部分は、骨固定具に取り付け部を取り付けるのに使用した取り付けネジに実質的に対応し、ボルト８７４は経皮骨伝導デバイスにおいて使用された既存の骨固定具に容易に嵌ることができる。
【００６７】
ボルト８７４を十分締めると、振動エレメント８５３Ａ/振動変換器結合アセンブリ８８０Ａが骨固定具３４１に十分しっかり取り付けられて振動エレメント８５３Ａが骨固定具３４１と振動伝導になり、実施例では骨伝導聴覚を効果的に誘起する。振動エレメント８５３Ａと骨固定具３４１との間に形成されたアタッチメントは振動エレメント８５３Ａと骨固定具３４１との間の振動の伝達をできるだけ小さくするよう抑えるものである。さらに、図の実施例は振動エレメント８５３Ａをできるだけ頭骨１３６から振動的に隔離することを指向している。すなわち、実施例では、骨固定具を通る振動エネルギーのための通路以外には、振動装置８５３Ａは頭骨から振動的に隔離されている。他の実施例では、他の振動通路が存在しうる（たとえば、ハウジングを通って直接頭骨へ、またその逆）。この文脈で、しかし、実施例によってはここに開示する固定システムまたはその変形は、固形のコンポーネントからなる骨との間の振動路がほとんどの骨成長シナリオと関係なく維持されることを可能にする。この点で、骨が成長してハウジングから遠ざかる場合、ハウジング/骨接合を利用するのではなく、振動装置８５３Ａが骨１３６に埋め込まれた骨固定具３４１に取り付けられているので、骨１３６がハウジングおよび/または骨固定具の上部から遠ざかっても領域の振動路が常に存在している。実施例によっては、振動エレメントのいくつかまたは全てが骨１３６の上に保持されるので頭骨１３６と振動装置８５３Ａとの間に直接接触はほとんどないか全くない。
【００６８】
図８Ａの実施例またはその変形は、受容者に実質的にインプラントされた電磁変換器８５０Ａのような電磁変換器との間で振動を伝導する方法を可能にする。また、この例示の方法は、図８Ａに描かれるような単一のポイントで受容者の骨に電磁変換器を取り付ける単一ポイント固定システムで振動伝導関係にある電磁変換器を利用して実行される。この点で、実施例では、電磁変換器との間で転送される少なくとも実質的な大きさの振動エネルギーがこの単一ポイント固定システムを通して伝わる。
【００６９】
図８Ａの実施例ではハウジング８５４Ａが蓋８５４Ａ２を有し、この蓋は穴を有し、この穴を通って壁８５４Ａ１が延び、ハウジング８５４Ａの底が第１端（すなわち、トップ）が開いた空洞のシリンダ８５４Ａ３を形成するので、電磁変換器８５０Ａをその中に嵌め込むことができ（その後、蓋を閉じる）、部分的に閉じた第２端（すなわち底）が部分的に閉じているので、ボルト８７６をその中に嵌め込むことができる。ハウジングエレメント（５４４Ａ１、８５４Ａ２、８５４Ａ３）のジョイントはレーザ溶接によって溶接されまたは他のシステムによって閉じられている。溶接（または他の閉鎖システム）はハウジング８５４Ａの内部が気密に密閉されおよび/またはヘリウム密封の筐体８０１Ａを提供するようにするものである。
【００７０】
図８Ｂは、図８Ａの実施例の代替実施例を示し、図４の振動エレメント４５３に対応する振動エレメント８５３Ｂを含んでいる。振動エレメント８５３Ｂはハウジング８５４Ｂ内に入れられた電磁変換器８５０Ｂを有する。この実施例の電気変換器８５０Ｂは上述の電磁変換器８５０Ａに対応し、変換器８５０Ｂのトップにボビン延長部８５４Ｃがあり底部に延長部８５４Ｄがある。図からわかるように、トップのボビン延長部はハウジング８５４Ｂのトップでスペーサを通って延びている。
【００７１】
ハウジング８５４Ａと異なり、ハウジング８５４Ｂは、周りの環境と電磁変換器８５０ｂとの間にバリヤを全く介在させない。実際、ボビンの内部の一部がハウジング８５４Ｂをトップから底部およびその逆にとおる通路の一部を確立するために使われ、図８Ｂの実施例では骨固定具３４１の一部がこの通路に嵌め込まれる。実施例では、ハウジング８５４Ｂの壁がボビン延長部にトップおよび底部で溶接（たとえばレーザ溶接）されており、内部８０１Ｂと周りの環境との間に気密封止および/またはヘリウム密閉封止を達成している。実施例では、ハウジング壁はなかば貝殻（shell）であり、その横軸周りで結合し、結合部８５４Ｅで示すように同じく溶接されている。代わりにハウジング８５４Ａのトップは蓋であり、ボビンの上方延長部がとおるための穴をもっており、ハウジング８５４Ｂの底部が空洞シリンダを形成し、そのシリンダの第１端（すなわちトップ）が完全に開いており、電磁変換器８５０Ｂを嵌め込んだ後、閉じられるようになっており、第２端（すなわち底部）は部分的に閉じており、ボビン延長部の底部を嵌め込むことができる。溶接（または他の閉鎖形）はハウジング８５４Ｂがボビンと組み合わされて気密封止および/またはヘリウム密閉の筐体８０１Ｂを提供するものである。
【００７２】
図８Ａの実施例と同様、ハウジング８５４Ｂの底部のハウジング壁は骨固定具３４１のトップ表面と輪郭をとっており、他の実施例では輪郭あっても異なったものでありうる。
【００７３】
さらに図８Ｂを参照すると、ボビン延長部８５４Ｄの一部８５４Ｆが骨固定具３４１の中に延びる。実施例では、骨固定具３４１と接する部分８５４Ｆの輪郭が経皮骨伝導デバイスの実施例の部分に対応する。実施例では、部分８５４Ｆおよび骨固定具３４１との接点の輪郭が電磁変換器８５０Ｂと骨固定具３４１との間の振動伝導を、少なくとも部分８５４Ｆがない実施例と比べて高める。したがって、実施例では、骨固定具と直接接触する電磁変換器のボビンを有する振動電磁変換器結合アセンブリ８８０Ｂがある。さらに、実施例では、ボビン/電磁変換器を通る通路が変換器を通って骨固定具３４１の受け入れ部まで延びる。
【００７４】
実施例では電磁バイブレータ８５０Ｂと振動エレメント８５３Ｂの他の関連コンポーネントまたは適当な場合は骨固定具３４１との間の界面は振動伝達路を確立するに十分なものであり、振動エレメント８５３Ｂと骨固定具３４１および/または骨１３６との間に適切な界面を提供し、この振動伝達が効果的に聴覚を誘起する。
【００７５】
図８Ａおよび８Ｂの実施例および/またはその変形は振動エレメント８５３Ａ.８５３Ｂが、少なくともボルト８７４を介してパワーツールのような物を使うことなく取り外せ、また骨にボルトが一体化されている場合に比べて小さいトルクを貫通ボルト８７４に加えることによって取り外すことができるという有用性をもつ。この点で、電磁変換器８５０Ａ/８５０Ｂを通る通路は、骨１３６と反対側の振動エレメントの側から、貫通ボルト８７４にトルクを加え、骨固定具３４１と接するネジにトルクを加えることを可能にする。貫通ボルト８７４は骨固定具３４１と接するので、骨１３６と一体化してはならない（骨固定具３４１が骨１３６に一体化している）。したがって、振動エレメントと骨との間に比較的強いレベルの固定が達成され、しかも貫通ボルト８７４が骨１３６に一体化されている場合に比べて比較的小さなトルクで貫通ボルトを取り外すことができる。
【００７６】
代替実施例では振動エレメント８５３Ａ／８５３Ｂのハウジングは、少なくとも部分的に骨１３６と一体化になることができる。この点で、実施例はたとえばその蓋を取り除き、貫通ボルトを取り除くことにより、ハウジングの中にアクセスすることを含む。一実施例では貫通ボルトが蓋を通って延び、代替実施例では貫通ボルトが電磁変換器を通って延びるが、蓋を通って延びてはいない（たとえば、ボルトのヘッドがハウジング内にあり周りの環境にさらされていない）。順序は問わず、蓋および貫通ボルトの取り除きは、ハウジングを取り外すことなく、ハウジングから電磁変換器（または少なくとも骨と一体化している部分）を取り外すことを可能にし、ハウジングと骨（あるとき）との間の一体化を妨げることがない。こうして新しい変換器をハウジングに挿入することができ、ハウジングと骨の一体化を妨げることなく貫通ボルトを介して取り付けることができる。したがって、ここの詳述したような動作によって電磁変換器の取り除きおよび/または挿入を必要とする方法が存在する。
【００７７】
図８Ａおよび８Ｂの実施例は骨に直接接続されるとして描かれたが、代替実施例では振動エレメント（たとえば８５３Ａおよび/または８５３Ｂ）が歯に接続され、歯が骨に接続されている。少なくとも効果的に聴覚を誘起する振動伝達を可能にするならば、ここに記載した教示事項またはその変形を実施することができる任意の組織への取り付けを実施例で使用することができる。
【００７８】
図８Ａおよび８Ｂの実施例では、電磁変換器のカウンタウェイト・アセンブリの動きの主な方向は、電磁変換器の縦方向に平行、貫通ボルト８７４の延びる方向に平行、ボビンを通るスペースの延びる方向に平行、固定具３４１の縦軸に平行、骨固定具３４１近くの骨１３６の表面（より正確には骨１３６の推定表面）の接線に直角である。この動きの主な方向は矢８９９で示される。「動きの主な方向」とは、カウンタウェイト・アセンブリがバネの収縮によって内向きに電磁バイブレータの縦軸に向かって動くことができるが（ただし、少なくともバネは外方向には延びないとし、延びる場合は外向きに延びることができるかまたはこの次元では全く動かない）、動きのほとんどはこの方向に直角であることを意味する。
【００７９】
ここに詳述した実施例またはその変形の少なくともいくつかは電磁変換器を受容者への取り付けコンポーネント（たとえば骨固定具３４１）と振動伝達関係に置くことを可能にし、電磁変換器を通って延びる機械的接続を介して振動伝達関係に維持することを可能にすることによって有用性をもつ。すなわち、この電磁変換器を通って延びる機械的接続を介して、電磁変換器は受容者への取り付けコンポーネントに局部的に固定することができる。したがって、少なくともいくつかの実施例は、インプラント可能な振動エレメントを骨固定具などまたは単一ポイント固定システムに配置することができ、振動エレメントの外側の境界が骨固定具を凌駕し、振動エレメントの電磁変換器が骨固定具（骨固定具および電磁変換器の縦軸が平行であり互いに同軸である）と位置合わせされることができ、インプラント可能な振動エレメントを、電磁変換器を通る機械的な接続を延ばすことによって骨固定具に固定することができる。インプラント可能な振動エレメントを骨固定具に固定する際に、インプラント可能な振動エレメントにほとんどまたは全くトルクを加える必要がなく、トルクがこのエレメントを通して実質的に（完全に、を含む）伝わるので、このことは有用性をもつ。このことは次の点で有用性をもつ。すなわち、そのようなトルクが加えられると、インプラント可能な振動エレメントのハウジングを変形させ、および/または電磁変換器および/またはその位置ずれしたコンポーネントを変形させ、これらはいずれもインプラント可能な振動エレメント、すなわち人間にインプラントされたエレメントに有害な影響をもつ。
【００８０】
図５の実施例は、受容者への固定コンポーネント（たとえば接続装置５４０）に局部的に固定する、電磁変換器を通って延びる機械的な接続を含まないが、代替実施例では、接続装置５４０の反対に電磁変換器５５０の側から接続装置５４０にボルトなどがボア５５４Ｄを通って延びることができる。実施例ではスリーブ５４４およびカプリング５４１が互いにしっかり接続され、および/または集積的か一体的なコンポーネントであり得、一方（たとえば、ボルトネジがボビン延長部５５４Ｅの内側の部分にねじ込まれる結果として、スリーブ５４４、この部分は実施例によっては図５に描くものより厚く、さらなるネジグリップを提供する、他の実施例ではさらなる厚みが存在しない）に保持力が加えられると、貫通ボア５５４Ｄを通って延びるボルトにより、他方にも加えられる。他の構成も電磁変換器を通る機械的な接続を介して局部的な取り付けを可能にする。たとえば、スリーブ５４４がなければ、カプリング５４１はボビン延長部５５４Ｅの底を横切って延びることができ、ボルトのネジがグリップするための構造を提供する。
【００８１】
代替実施例では、カプリング５４１は存在せず、その代わりに皮膚を貫く取り付け部（たとえば図６の取り付け部６２０）で接合するよう構成されたコンポーネントがある。すなわち、図６の実施例と異なり、経皮骨伝導デバイスの取り外し可能コンポーネントの「端」（取り付け部と接合する部分）は取り付け部にスナップフィット（スナップ嵌め）しない。この代替実施例の代替実施例では、「端」（取り付け部と接合する部分）は少なくとも伝統的な感覚で自動固定構造（たとえば磁石など）を備えていない。このような代替実施例では、ボルトなどのような機械的接続は電磁変換器を通って取り付け部（この実施例では自身の上にネジ（雄または雌）を持つ）および/または取り付けネジ（実施例によっては、取り付けネジのヘッド周りに雄ネジを有する）にネジ的に取り付けられる。
【００８２】
代替実施例では、カプリング５４１は存在せず、その代わりにおよび/またはそれに加えて取り付け部に作動可能に(actuatably)結合するよう構成されたコンポーネントが存在する。「作動可能に結合」とは、コンポーネントが骨伝導デバイスの取り外し可能コンポーネントを結合または分離させるためにあるコンポーネントを作動させることができることを意味する。たとえば、ボール緩和(ball detente  ボール・デタント)システムを使い、電磁変換器の取り付け部から反対側に加えられた力が電磁変換器を通ってボール・デタントの結合側に伝えられ、こうしてボール・デタントを作動させて取り付け部（または対応する構造）を結合または分離させる。実施例ではバネ負荷のシャフトなどが電磁変換器を通って延びることができ、外部のボタンが取り外し可能コンポーネントの取り付け部から反対側にある。ボタンを押すとバネに抗して作用する圧縮力がシャフトに加わり、シャフトを動かす。ボール・デタントはシャフトと機械的伝達関係にあるのでシャフトの動きの結果として作動されることができ、たとえば、シャフトの動きは、取り外し可能なコンポーネントが取り付け部から離れる位置へボール・デタントを動かすことを可能にする（たとえば、シャフトのボール・デタント近くにへこみを配置するので、そのへこみにボール・デタントが入る）。逆にボタンへの力を除き、シャフトに加えられた力を除くと、取り外し可能なコンポーネントが取り付け部から分離され得ない位置にボール・デタントが強制される位置にシャフトが戻る。
【００８３】
変換器を通って延びる機械的接続を介して受容者への固定コンポーネントに電磁変換器を局部的に固定することを可能にする任意の構成を少なくともいくつかの実施例で利用することができる。実施例ではそのような構成が振動伝達路を確立するに十分で、取り外し可能コンポーネントとインプラントされたコンポーネントおよび骨との間に適正は界面を提供し、振動伝達が効果的に聴覚を誘起するならば、利用することができる。
【００８４】
これまでに説明した実施例は経皮骨伝導デバイスおよび能動通皮骨伝導デバイスに焦点を当てる傾向のものであるが、受動的な通皮骨伝導デバイスにこれらの実施例の変形を適用することができる。この点で、ここに記述した取り付け方法およびその変形は図３のプレート３４６のような受動的な通皮骨伝導デバイスの圧力プレートへの電磁変換器の取り付けに適用することができ、図３では振動電磁アクチュエータ３４２が電磁変換器である。そのような接続が所与の電磁バイブレータとプレート３４６との間に振動伝達路を確立するに十分な界面をもたらすならばそのような適用が可能であり、プレート３４６と振動部３５５との間に適当な界面が提供され、振動伝達が効果的に頂角を誘起する。実施例では、プレートは上述の振動装置８５３Ａおよび/または８５３Ｂと接合する固定具３４１の部分と類似または同じコンポーネントを持つ。図８Ｃは、図３のものによる受動的通皮骨伝導デバイスの外部コンポーネント８４０の実施例を描く。図に見られるように、図８Ｂのコンポーネント８５３はプレート８４６（図３のプレート３４６に対応する）にプレート８４６の延長部８４１を介して取り付けられている。実施例では延長部８４１は少なくともコンポーネント８５３Ｂと境界を接するコンポーネントに関し、骨固定具３４１に対応するが、プレート８４６および延長部８４１は一体的なコンポーネントを形成する。代替実施例では、プレートは骨固定具３４１を受け取るよう構成されることができる。そのような実施例は受動的な通皮骨伝導デバイスの外部デバイスの製造に関し、有用性を提供することができる。代替実施例では、図８Ａのコンポーネント８５３Ａが８５３Ｂの代わりに利用される。
【００８５】
代替実施例では、図５の電磁変換器５５０が図８Ｂのコンポーネント８５３Ｂの代わりに利用される。そのような例では、ボルト８７６のようなボルトが図８Ｃのものと同様の態様でボア５５４Ｄを通ってプレート８４６に延びる。ボビン延長部５５４Ｅは延長部８４１と境界を接するように図５に描いたものから修正される（たとえば、図８Ｂのボビン延長部と似た端部を持つことができる）。
【００８６】
ここに記載する実施例の少なくともいくつかはいくつかの方法を可能にする。実施例では、電磁変換器を通って延びるスペースを通って力を伝達し、それぞれ電磁変換器との間でコンポーネントの固定および取り外しの少なくとも一方を行う。たとえば、図７Ａ−７Ｃを参照すると、ドリフト（浮き部材）７２０がそれに加えられた力をボア５５４Ｄを通して伝達し、すなわち電磁変換器５５０を通って延びるスペースを通して伝達する。図７Ａ―７Ｃの実施例に関し、力は圧縮力でありスリーブ５４４（接続コンポーネント）に作用する。例として図８Ａおよび８Ｂを参照すると、ユニグリップの受け入れ部８７６、貫通ボルト８７４（任意のタイプの受け入れ部であってよく、代替として任意のタイプの突起であってよい、つまりトルクを加えるよう構成されたレンチまたはネジ回しその他任意のデバイスがボルト８７６にトルクを加えることが可能であればよい）に加えられたトルクが、ボア５５４Ｄをとおりネジが切られた痰部８７８に伝わり、こうして力が電磁変換器５５０を通って延びるスペースを通して伝達される。図８Ａ―８Ｂの実施例に関し、力はインプラントされた骨固定具３４１と最終的につながる回転力である。
【００８７】
ここに記述した方法は、電磁変換器との間でそれぞれコンポーネントを取り付けるか取り外すことの少なくとも一つの行動を含むことができる。電磁変換器との間で取り付けまたは取り外しされるコンポーネントは電磁変換器に直接または間接に取り付けられることができる。たとえば、図５の実施例では、ボビン延長部５５４Ｅがあるので、スリーブ５４４（コンポーネント）は電磁変換器５５０に直接取り付けられる。ボビン延長部５５４Ａのところに別のコンポーネントが存在するならば、スリーブ５４４は電磁変換器５５０に間接的に取り付けられるであろう。さらに例として、図８Ａに関し、電磁変換器８５０Ａと骨固定具３４１との間にハウジング壁があるので、骨固定具３４１（電磁変換器に取り付けたり取り外したりされるコンポーネント）は電磁変換器８５０Ａに間接的に取り付けられている。逆に図８Ｂに関し、ボビン延長部が部分８５４Ｆを含むので、電磁変換器８５０Ｂが骨固定具３４１に直接取り付けられている。
【００８８】
ある実施例はボビンのコイルとボビン内のスペースとの間の壁の厚さの特徴をもち、これから説明するように壁を通る動的磁束に関係する。
【００８９】
図９を参照すると、電磁変換器９５０の一部分が描かれている。電磁変換器９５０はボビン延長部５５４Ｅがなくその近辺のコンポーネントがしかるべく調整されている点（たとえば、スペーサおよび底部バネが延びている）を除いて上述の電磁変換器５５０と同じである。他の実施例では、電磁変換器９５０はこれまでに記述した電磁変換器および/またはその変形と全く同じである。これに関し、下に記述する事項は、少なくともいくつかの実施例では、特に断らない限りここに説明する任意の電磁変換器および/またはその変形に適用することができ、このことはここに説明する特定の事項および/またはその変形のいずれもが特に断らない限りここに説明する実施例および/またはその変形のいずれにも適用可能であるという広い脈絡での話である。
【００９０】
ボビンアセンブリ５５４と同様に、ボビンアセンブリ９５４は電流によって駆動されるとき動的磁束を発生するよう構成されている。この実施例では、ボビン９５４Ａは動的磁束のための磁気伝導路を確立するよう伝導性の材料でできている。この特徴のさらなる観点を次に説明する。
【００９１】
図９は、永久磁石５５８Ａおよび５５８Ｂそれぞれの静的磁束９８０および９８４、電磁変換器９５０内のコイルの動的磁束９８２を示し、これは、第１の電流方向にコイルが駆動され、ボビンアセンブリ９５４およびカウンタウェイト・アセンブリ９５５が磁気的に誘起される二つの間の動きに関しバランス点（以後、バランス点という）にあるときのものである。すなわち、カウンタウェイト・アセンブリ９５５は、コイルが駆動されるとき、ボビンアセンブリに関し相対的に振動態様で動くが、コイルが駆動されていないとき、カウンタウェイト・アセンブリ９５４がボビンアセンブリに関し戻るバランス点に対応する固定の場所に平衡点が存在する。
【００９２】
図９は磁束の大きさ/スケールを描いていない。この点で、実施例によっては、コイルが駆動されボビンアセンブリ９５４およびカウンタウェイト・アセンブリ９５５がバランス点にある瞬間において、ボビン９５４Ａのコア/コイルの穴を通る、あるとしても比較的小さい静的磁束のフローが、コイルがボビン９５４Ａのコア周りに巻かれている結果として形成される。図９はこのことを描いている。しかし、実施例によっては、使用中に、これらのコンポーネントを流れる静的磁束の量は、ボビンアセンブリ９５４がバランス点から離れる（バランス点から下方向および上方向のどちらもある）ことにより増大し、またはボビンアセンブリ９５４がバランス点に近づく（バランス点に向かって下方向および上方向のどちらもある）ことにより減少する。
【００９３】
静的磁束および動的磁束の方向および通路はいくつかの実施例を現しており、他の実施例では磁束の方向および/または通路は図のものから変化しうる。
【００９４】
さらに図９を参照すると、動的磁束９８２がコイル９５４Ｂが巻かれているボビンコア９５４Ｃを通ることが見られる。図９の実施例ではボビン９５４Ａが透磁性の材料（高度に透過性の材料）でできているのでボビンコアは磁気コアである。これに関し、すべてではないにしてもほとんどの動的磁束９８２がボビン９５４Ａの材料を通る。すなわち、本質的に動的磁束はボビン内のスペース９５４Ａを通らない。これに関し、電磁変換器５５０は実質的な動的磁束がボビン９５４Ａの材料を通るよう構成されている。実質的な磁束とはここに説明した振動電磁アクチュエータおよび/またはその変形の働きに影響する磁力を生成する磁束をいい、感度のよい装置によって検出できるかもしれないが振動電磁アクチュエータの働きに実質的な影響を与えないトレース磁束とは異なる。すなわち、トレース磁束は、ここに説明する電磁変換器によって振動が発生されることにならないものであり、または変換器に入力される振動がないので電気信号が発生されるに至らないものである。したがって、実施例は動的磁束の実質量ではなくトレース量がスペース９５４Ｄを通る電磁変換器を含む。もちろん、実施例によってはトレース量さえスペース９５４Ｄを通らない。
【００９５】
実施例ではボビン９５４Ａおよび/またはここに説明する任意のボビンまたはその変形はたとえばヴァコファ(Vacofer)から作られており、ここに記述する値がそのようなボビンに適用可能であり、またその他のボビンにも適用可能である。実施例によっては、たとえば制限的でない例として軟鉄のようなソフト磁気材料を使うことができる。実施例では、使用することができる材料は、ヴァコファ、純鉄材料、パーメノーム(Permenorm)、ウルトラパーム(Ultraperm)、ニッケルー鉄合金、バコフラックス(Vocoflux)、コバルトー鉄合金、ヴィｔロパーム(Vitroperm)、アモルファス鉄―銅―ニオビウムーシリコンーボロン材料などである。
【００９６】
実施例において、使用することができる材料は、NAFTAおよびEUの国の少なくとも産業上の大量生産標準に関して、比較的簡単に磁化したり消磁したりすることができヒステリシス損失が比較的小さい材料である。実施例ではボビン材料の相対透過率は約5,000から約600,000であり、その間の値または値のレンジは１ユニットの増分で、たとえば20,000, 150,000, 400,000, 10,000から約400,000である。
【００９７】
実施例によっては、コア９５４Ｃの壁の厚さは、コアの対応する位置でコイル９５４Ｂに面する表面９５４Ｅからの動的磁束の浸透の深さに基づく（たとえば、コア９５４Ｃの外面と内面との間の距離、プレーンを通る動的磁束の方向に直角なプレーンで測定、または電磁変換器９５０の縦軸９９９に直角なプレーンで測定）。実施例では、動的磁束の浸透の深さに基づく。図１０は、図９の電磁変換器９５０のボビン９５０Ａおよびヨーク９６０を描き、簡単のためその他のコンポーネントは省略している。寸法「Ｔ」は、ボビン９５４Ａのコア９５４Ｃの厚みを現す（すなわち、電磁変換器９５０の縦軸９９９に直角なプレーン、その位置で動的磁束の方向と直角、で測定）。これは表面９５４Ｅと９５４Ｆ徒の間の距離である。グラフィック用語では、実質的な動的磁束すべてが寸法「Ｔ」の矢頭を通る（図９および１０は全体的に対称な電磁バイブレータの断面図である）。
【００９８】
図９および１０の実施例は、ボビンコア壁の厚みが均一なものとして描かれている。他の実施例では、ボビンコア壁の厚みに変化があってもよい。したがって、侍史例によっては、寸法「Ｔ」は、所与の場所でのコア壁の局部的厚みに対応する。ボビンコアに関する寸法の場所への参照は、動的磁束が流れるボビンコアの場所に対応する。
【００９９】
実施例では、Ｔの値は、コア９５４Ｃの外面９５４Ｅ（すなわち、コイルに面する表面）に対する動的磁束（実質その他）の浸透の深さの約１０倍に等しい。浸透の深さは、外面９５４Ｅの無限小に直下での値の３７％に磁束の密度が減少する深さである。実施例では、寸法「Ｔ」の値は、外面９５４Ａに対し動的磁束の浸透深さの、約５倍、約３倍、約２倍またはほぼこれに等しい値である。実施例では、Ｔの値は、動的磁束の浸透深さの約10、9、8、7、6、5、4、3、2、1、または0.5倍以下に等しい値または0.1刻みのその間の値（たとえば、9.5、4.7など）である。実施例ではＴの値は、約10から約0.1のレンジ内の値、または0.1mm刻みで約１０から約0.1mmのレンジの値（たとえば、8.9から3.7mm、7.9から0.1mmなど）である。
【０１００】
実施例では、能動通皮骨伝導デバイス、受動的な通皮骨伝導デバイスおよび/または経皮骨伝導デバイスとして使用される例としての電磁変換器における動的磁束の浸透深さは、可聴スペクトルにおける振動について約0.1mmから約0.2mmである。実施例によっては、磁束の浸透深さは約1, 0.9, 0.8, 0.7, 0.6, 0.5, 0.4, 0.3, 0.2, または約0.1mmまたは0.01刻みでその間の値のレンジの値または任意の値である（たとえば、約0.13mm、0.22から約0.07mmなど）。理論に縛られることなく、完全のため付言すると、前述の値は、実施例では、ボビンの最大直径（たとえば、「アーム」の長さ）が約4mm、5mm、6mm、7mm、8mm、9mm、10mm、11mm、12mm、または約13mmの長さ、および/または0.1mm刻みでその間の任意の値または値のレンジの長さ（たとえば、約7.8mm、5.8mm、6.7mmから約11.2mmなど）である。実施例の前述の値は、結合質量（詳しくは後述）が約1または2グラムで、地震質量（詳しくは後述）が約5または6グラムである電磁変換器において使うことができる。実施例では、結合質量は、約0.3、0.4、0.5、0.6、0.7、0.8、0.9、1.0、1.1、1.2、1.3、1.4、1.5、1.6、1.7、1.8、1.9、2.0、2.1、2.2、2.3、2.4または約2.5グラム、および/または0.01刻みでその間の任意の値または値のレンジ（たとえば、1.13グラム、1.04グラムから1.33グラムなど）である。実施例では地震質量は、約4.5、4.6、4.7、4.8、4.9、5.0、5.1、5.2、5.3、5.4、5.5、5.6、5.7、5.8、5.9、6.0、6.1、6.2、6.3、6.4、6.5、6.6、6.7、6.8、6.9、7.0、7.5、89.0、8.5、9.0、10.0、10.5、11.0、11.5、12.0、12.5、13.0、13.5、14.0、14.5または約15.0グラムで、および/または0.01刻みでその間の任意の値または値のレンジである（たとえば、6.11グラム、5.94グラムから6.58グラム、7.66グラムから12.15グラムなど）。代替実施例では上記の値の一つまたは複数は異なる値をとり、ここに開示した事項またはその変形を実施することができる。
【０１０１】
「接続（結合）質量」および「地震質量」は、前者がコイルの駆動中に動かない振動電磁変換器結合アセンブリの質量をいい、後者がコイルの駆動中に動く振動電磁変換器結合アセンブリの質量をいう。たとえば経皮骨伝導デバイスで使われる図５の実施例で、接続質量は、ボビンアセンブリ５５４に対応し、地震質量はカウンタウェイト・アセンブリ５５５に対応する。より具体的には、接続質量はボビンアセンブリ５５４、スペーサ５２２および５２４並びに経皮取り付け部（接続質量には含まれない）に接続する結合アセンブリ５４０を含む。地震質量はバネ５５６および５５７、永久磁石５５８Ａおよび５５８Ｂ、ヨーク５６０Ａ、５６０Ｂおよび５６０Ｃ、スペーサ５６２およびカウンタウェイト質量５７０を含む。
【０１０２】
実施例によっては少なくともバネ５５６および５５７の一部はコイルが駆動されるとき動く。なぜなら、たとえばバネの一部分がボビン延長部５５４Ｅにクランプされているからである。接続質量は、バネの動かない部分/クランプされている部分を含むことができ、これらの部分は地震質量には含まれない（バネの残りの部分は地震質量に含まれる）。
【０１０３】
実施例によっては、ボビンにスペースがなければ（すなわち、ボビンが固形）存在するであろうものより小さい結合質量をもつ変換器を含む。制限的でない例として、質量の差は、約0.02、0.04、0.06、0.08、0.1、0.12、0.14、0.16、0.18、0.2、0.22、0.24、0.26、0.28、0.3、0.32、0.34、0.36、0.38または約0.4グラムまたは0.005グラム刻みでこれらの値の間の任意の値または値のレンジである。代替実施例では、上記の値の一つまたは複数は異なってよく、ここに記述された実施例および/またはその変形を実施することができる。
【０１０４】
いくつかの実施例の有用な特徴を見ると、上述の一つまたは複数、あるいは全部の特徴が有用性をもち、上述の特徴を持たないアセンブリに比べて、振動電磁変換器結合アセンブリの有用な振動周波数を達成することができる。図５の実施例を参照すると（経皮骨伝導デバイス）、振動電磁変換器結合アセンブリ５８０が２つの振動を持つ２自由度のバネ質量システムに対応する。（図５の実施例に関して記述した特徴は図３および４の実施例および/またはその他の変換器構成にも適用することができ、ここに教示する事項またはその変形は特に断らない限りここに記述する任意の実施例またはその変形で使用することができる。）第１の共振周波数（主共振周波数）は約750Hzであり、地震質量およびバネ５５６および５５７の硬さの結果である。第２の共振周波数は第１の共振周波数より約１オーダー高いところに存在する。たとえば、第２の共振周波数は約11,000から13,000Hzの間の値である。第２の共振は、接続インプラント（すなわち、取り付け部）および接続質量への結合アセンブリ５４０の接続の硬さの結果である。実施例によっては、小さい接続質量が第２の共振周波数を大きくするという有用性がある。変換器および/または接続インプラントとの間の力の伝達の効率がこの共振周波数以後落ちるので、大きい接続質量を持つアセンブリに比べて、第２の共振は比較的大きい。
【０１０５】
実施例では、低減された接続質量が、付加的なコンポーネントおよび/または質量を増す代替コンポーネントの使用を可能にするという有用性を持つ。制限的でない例として、接続質量のウェイトを増す構造的に強靱なコンポーネントを所与の共振周波数を維持しながら追加することができる。たとえば、ボビンを通る穴の結果としてのグラム数の低減は、デバイスの共振周波数に影響する事なく他の材料のグラム数を増やすことを可能にする。
【０１０６】
したがって、実施例では、経皮骨伝導デバイスで使われる、約12.5kHzの第２共振周波数をもつ図５のもののような振動電磁アクチュエータ結合アセンブリがある。実施例では、図５に示す実施例の振動電磁アクチュエータ結合アセンブリと同様の振動電磁アクチュエータ結合アセンブリが、約9.0、9.1、9.2、9.3、9.4、9.5、9.6、9.7、9.8、9.9、10.0、10.1、10.2、10.3、10.4、10.5、10.6、10.7、10.8、10.9、11.0、11.1、11.2、11.3、11.4、11.5、11.6、11.7、11.8、11.9、11.0、11.1、11.2、11.3、11.4、11.5、11.6、11.7、11.8、11.9、12.0、12.1、12.2、12.3、12.4、12.5、12.6、12.7、12.8、12.9、13.0、13.1、13.2、13.3、13.4または約13.5kHz以上の第２共振周波数、または0.01kHz刻みで上記の値の間の任意の値または値のレンジの第２共振周波数（たとえば、12.7kHz、11.53kHzから12.97kHz）をもつ。実施例では、経皮骨伝導デバイスで使われる同じく図５の実施例によるもののような振動電磁アクチュエータが、ボビンが固形であること以外コンポーネントが同一であるならば、そのものより約2kHz大きい第２共振周波数をもつ。実施例では、経皮骨伝導デバイスで使われる同じく図５の実施例によるもののような振動電磁アクチュエータが、約0.5、0.6、0.7、0.8、0.9、1.0、1.1、1.2、1.3、1.4、1.5、1.6、1.7、1.8、1.9、2.0、2.1、2.2、2.3、2.4、2.5、2.6、2.7、2.8、2.9、3.0、3.1、3.2、3.3、3.4、または約3.5kHzそのものより大きい第２共振周波数、または0.01kHz刻みで上記の値の間の任意の値または値のレンジだけそのものより大きい第２共振周波数（たとえば、2.25kHz、1.75kHzから2.33kHzなど）をもち、これはボビンが固形であること以外コンポーネントが同一である場合のことである。
【０１０７】
図１１を参照すると、電磁変換器１１５０の一部分が描かれている。電磁変換器１１５０は、ボビンコアまたは少なくともその磁気伝導性の部分が一体的でなく、底部のバネを通る穴の直径が大きいことを除いて、上述の電磁変換器９５０と同じである。特にボビンアセンブリ１１５４は主ボビン本体1154A’およびこれを通って延びるパイプリベット1154A”を含み、これらを集合的に１１５４Ａで示す。図に見られるようにリベット1154”は、リベット1154”を主ボビン本体1154’を通るスペース内で該本体1154’に全体的に固定するヘッド（上部）およびフレア部（下部）を含む。この点で、これらのコンポーネントはパイプリベットの伝統的なコンポーネントに対応する。実施例では、リベット1154A”は主ボビン本体1154A’を通るスペースにスリップ嵌めまたは締まり嵌めされているが、クリアランス嵌めの様なその他のタイプの嵌めを使うこともできる。ここに教示する事項を実施することを可能にするものであればどのタイプの嵌めであっても使用することができる。実施例では、リベットは透磁性性の意味で主ボビン本体1154’のものと同じか類似の材料でできている。実施例では、リベット1154A”は軟鉄その他の磁気的に透過な材料でできている。図１１の実施例のいくつかの変形を下に説明する。まず、ボビン１１５４Ａに関する物理現象を説明する。
【０１０８】
この実施例では、一つの例としての物理現象は、理論によって拘束されることなく、図９の実施例のボビン９５４Ａに関しボビン１１５４Ａへの２つのさらなる表面（リベット1154”の内面および外面）に関係する。これは、ボビンのコアを通る動的および静的の両方の磁束でないとしても（コアを通る静的磁束が存在する程度において、図９は理想的な磁束のフローを示す）少なくとも動的磁束について抵抗を低減させる。また、理論によって拘束されることなく、実施例によっては、図１１の変換器の効率は図９の実施例のものに対して、他のことが等しいとして、少なくとも０Hzと20,000Hzとの間の周波数（たとえば、オーディオ周波数レンジ）に関し、改良されることができる。
【０１０９】
理論によって拘束されることなく、実施例によっては、リベット1154”の追加によって得られる付加的な表面が、AC変成器で使用されるラミネーション（積層、貼り合わせ）によって得られるのと同じまたは類似の現象をもたらす。この点で、付加的な表面はボビンコアにより大きな動的磁束が通ることを可能にする。当然の帰結としてコアを通る磁束に対する抵抗が低減されるということである。
【０１１０】
続けて理論によって拘束されることなく、実施例によっては、電磁変換器（たとえば上述の任意の実施例またはその変形による可変リラクタンスアクチュエータのような）における主な損失源は、ボビンコアにおける渦電流の存在であり得る。実施例では、渦電流は電力を熱の形で消費し、この電力はさもなければ振動力を発生するのに使用することができ、または電気出力信号を発生するのに使用することができる。（図９の実施例に比べ）リベットによって得られる付加的な表面の存在は、この表面が磁界の方向に実質的に平行であれば、少なくとも実施例によっては渦電流による損失を低減するのを助ける。実施例によっては、これは磁束路と干渉せず、または実質的に干渉しないが、渦電流が比較的狭い層の材料に存在させるだけで（リベットの壁の厚みおよび図１１の実施例のボビン本体コアの壁の厚みが個々に図９の実施例のボビンコアのトータルの壁厚みより小さいという意味において狭い）渦電流損失を低減しない。この点で、理論によって拘束されることなく、実施例によっては、渦電流が磁束の方向と直角方向に流れるなら、そして渦電流の一般的傾向が透磁性の材料の表面を通って延びない（すなわち、渦電流がリベットの壁およびボビン本体コアの壁の境界内に保持される）なら、個々の渦電流の大きさは図９の実施例に存在するものと比べて低減されうる。また、理論によって拘束されることなく、実施例によっては、ソフト磁性材料は概して比較的大きい導電性を持ち、低抵抗性である。したがって、低導電性（空気または絶縁物）の境界/層を付加することによって、磁界によって誘起される電圧に対する抵抗が増し、渦電流が低減される。実施例は、境界を追加することによってこの現象を適用するよう構成されている装置を含む。実施例においてこの境界の間にはエアギャップがある（エアギャップは原理的に上述のエアギャップに対応し、エアギャップは空気からなる必要はないことを意味する（それらはエアギャップの原理を達成する材料で満たされ得る））。
【０１１１】
より具体的には、実施例によっては、リベットおよび主ボビン本体のコア内部の表面は、理論によって拘束されることなく、ボビンの縦軸に直角の方向に平行に流れる電流に関し絶縁面を提供することができる。これらの表面はボビンの縦軸に平行であるので、ボビンの縦軸に平行な方向に流れる電流に関しては絶縁面を提供しない。
【０１１２】
図１２Ａおよび１２Ｂは図９の実施例によるボビンおよび図１１の実施例によるボビン内の渦電流を概念的に描いている。図１２Ａおよび１２Ｂは図９および１１の実施例それぞれのボビンの中央を通る断面図を描いており、断面は動的磁束の方向に直角なプレーンのものである。図１２Ａおよび１２Ｂに描かれているようにボビン954Ａの渦電流1200Ａはボビン1154Ａの渦電流1200B’および1200B”のいずれよりも大きく、それぞれのコアを通る動的時速の大きさは両図においてほぼ等しい。
【０１１３】
理論によって拘束されることなく、実施例によっては渦電流に対する抵抗は断面積に反比例しうる（断面は時速の方向に直角なプレーンでとる）。したがって、図９の実施例の一体的コンポーネントに比べて、所与の一体的コンポーネントの断面積を減らすことにより、渦電流に対する抵抗は、図９の実施例の一体的コンポーネントに存在するものに対し大きくすることができる。
【０１１４】
理論によって拘束されることなく、実施例によっては、リベットおよび/またはボビン本体（少なくともボビン本体のコア壁の厚み）は個々のコンポーネントにおける渦電流電力損が十分小さくなるように寸法を決められており、これらの個々の渦電流電力損の和が図9の実施例の固形コアにおける渦電流電力損の合計よりも小さい。図１１の実施例に関し、主ボビン本体1154A’のコアおよびリベット1154A”のそれぞれの壁の厚さは等しい。しかし、代替実施例では、その厚みは異なっていてよく、主ボビン本体の壁またはリベットの壁は他方のものより厚くてもよい。また、図１１の実施例は一つのリベットだけを有するとして描かれているが、代替実施例では、2以上のリベットが主ボビン本体内のスペースにさしはさまれていてよく、その一つが他のリベットを囲む。図１２Cがボビン1254Aのような実施例のコアを描く。図１２Cは、主ボビン本体のコアおよび２つのリベット内の渦電流を描く（渦電流1200C’、1200C”および1200"'）。図に見られるように主ボビン本体のコアの壁厚みは外側のリベットの壁厚みより薄く、外側のリベットの壁厚みは内側のリベットの壁厚みより薄い。したがって、それぞれの渦電流の大きさは異なる（ボビンの内方の位置ほど大きくなる）。
【０１１５】
図のすべての実施例は空洞のリベットであるが、代替実施例では、リベットは固形でもよく、複数のリベットを使う場合、もっとも内側のリベットが固形でもよい。ここに記述した実施例はリベットを使うものとして記述したが、他の実施例では、制限的でない例として、締り嵌めしたチューブ、空洞のねじを切ったボルト、ブッシュ、積層（ラミネート）などのような他の機械的コンポーネントを使用することができる。したがって、ここでの教示事項またはその変形はリベットに焦点を当てているが、これの教示事項は他の機械的コンポーネントにも適用することができる。代替実施例では、ここでの教示事項またはその変形が積層形を持つ任意の構造または構造アセンブリに適用可能である。理論よって拘束されることなく、実施例によっては隔離表面（すなわち、リベットの表面および主ボビン本体の表面がボビンアセンブリのコイルに近い）がここに詳述した物理現象の達成を可能にすることができ、いくつかの実施例は隔離表面を確立することになる任意の構造を利用して実施することができる。
【０１１６】
さらに以上の記述に従い、図１１の実施例の特徴は図９の実施例の変形に対応し、図９の実施例の特徴は任意の他の変換器（および/またはその変形）の変形に対応することができ、リベット1154A”が底部のバネ近くの場所で端を切り落とされているように図示されているが、代替実施例ではリベットは底部バネを過ぎて延びることができる。特に例としてのリベットは図５のボビン延長部５５４Eを持つ実施例またはその変形の電磁変換器において実施することができる。実施例ではリベットは底部バネ（たとえば、図５の実施例では５５６）を通り過ぎて下方向に延び、ボビン延長部５５４Eの端近くの場所または他の場所に向かって外方向にフレアする（広がる）ことができる。実施例では、スリーブ５４４がリベットの内側に嵌め込まれることができる。すなわち、実施例では、スリーブ５４４はボビン延長部５５４Eと直接接合するのではなく、リベットの内側と直接接合する。
【０１１７】
また、実施例は異なる形状のリベットを使用することができる。渦電流に関係してここに記載した教示事項またはその変形を実施することを可能にするものであれば、任意の寸法の機械的装置を少なくともいくつかの実施例で利用することができる。
【０１１８】
実施例では一つまたは複数のリベットおよび/またはボビン本体が電気絶縁材料で被覆されている。実施例では、電気絶縁材料は次のものである。すなわち、スララック(Suralac)1000、有機構成樹脂(ASTM A796-03 クラスC-3)、スララック3000、無機充填物をもつ有機合成樹脂(ASTM A976-03 クラスC-6)、スララック5000、燐酸塩(phosphate)および硫酸塩を持つ有機樹脂、および/またはスララック7000、無機燐酸塩ベースの被覆、無機充填物およびなんらかの有機樹脂(ASTM A976-03 クラスC-5)を持つ。実施例では被覆は有機混合物（C3絶縁型）または合成樹脂およびクロム酸塩、燐酸塩および酸化物の有機/無機混合物だけでありうる。
【０１１９】
理論によって拘束されることなく、実施例によっては、電気絶縁被覆は渦電流をリベットおよびボビン本体コアの個々の壁内に閉じこめることができる（すなわち、渦電流がボビン本体コアからリベットに延びることおよび/またはその逆を防止する）。しかし、実施例によっては、この絶縁被覆は使われず、表面形状そのものが有用な態様で損失を低減する。
【０１２０】
図１３は、リベット（またはここに記載したような他の構造および/またはその変形）を使用するボビン１３５Ａの代替実施例のボビンコアの断面を描いている。図に見られるように、主ボビン本体1354A’のコア内のリベット1354A”および1354A”’がスリットを含んでいる（それぞれ１３０１および１３０２）。リベットの延長部がスリットシリンダからなり、スリットがリベットの縦方向に沿って延びる。実施例では、スリットは概して線形であるが、他の実施例ではスリットはリベット外周の少なくとも一部でスパイラルすることができる。実施例では、図３に関連する特徴を実施するためにブッシュを使用することができる。
【０１２１】
図１３のボビンの実施例において、スリットリベットがボビンコアの円周方向において（理論に拘束されることなく、図１１の実施例の場合のように放射方向においてのみではなく）絶縁面を提供する。より具体的には、理論に拘束されることなく、実施例によっては、動的磁束がボビンのコアを一周する（すなわち、ボビンの縦軸周りを通る）渦電流を生成することができる。その渦電流は動的磁束の方向、ボビンの縦軸に直角に流れる。スリット（すなわち、縦軸周りのリベットの連続性の破断）によって提供される表面がボビンの縦軸周りに流れる電流に関し絶縁面を形成する。これらの表面はボビンの縦軸に平行なので、ボビンの縦軸に平行な方向に流れる電流に関し絶縁面を提供しない。スリットは、表面が互いに接するようなものであることができ、スリットという用語は、表面の間にスペースがあることを意味しないし、少なくとも表面の間全体にスペースがあることを意味しない。
【０１２２】
実施例ではスリットリベット（その他の機械的コンポーネント）は、リベットが主ボビン本体のコア内またはもう一つのリベット内のスペースに挿入されると、対応するコンポーネントの内面に外向きの力を加えるよう寸法、大きさが決められまたは構成されている。リベットは、その緩んだ状態で、リベットがその中に入れられたコンポーネントの内径より大きい外径を持つ構成になっている。スリットは、リベットがより容易に接触し、当然の帰結として、スリットを持たないリベットのものより容易に膨張することを可能にする。したがって、そのようなリベットは容易に挿入するができ、これらのリベットはスリットのないリベットに比べてよりよく所定の位置に保持されることができる。
【０１２３】
図１３の実施例は赫リベットについて一つのスリットを示しているが、代替実施例ではリベットは２以上のスリットを含むことができる。さらに図１３の実施例がスリットを所与のリベットのコンポーネントの間のスペースとして描いているが、２つ以上のスリットを利用するような代替実施例では、スリットはスプリットリベット（またはスプリットブッシュなど）の取り付け領域を構成することができる。
【０１２４】
上述の実施例は互いに概して共軸であり、かつその縦軸から概して一定の距離を持つ長い部分を持つ外面および内面を有する（すなわち、円筒状の）リベットを描いているが、代替実施例では、こうでなくてもよい。たとえば、リベットは、図１１の参照フレームを見るとき、円錐形、蝶ネクタイ形状（および蝶ネクタイ形状のネガティブ形状）などでありうる。実施例によっては、そのようなリベットは、そのような形状が円筒状のセクションによって得られるものとは異なった、または大きな保持力を提供する点で有用性を持ちうる。たとえば、円錐形リベットはリベットを主ボビン本体内のスペースまたは挿入されているリベットに「くさび状に押し込む」ために使うことができる。
図１２Cに戻ると、主ボビン本体のコアの壁厚みは中間リベットの壁厚みより厚くはなく、中間リベットの壁厚みは内リベットの厚みほどでないことが見られる。さらに、実施例によっては、主ボビン本体のコアの壁厚みが比較的非常に薄い場合に有用性を持つ。実施例では、この壁厚みは、約0.01, 0.02, 0.03, 0.04, 0.05, 0.06, 0.07, 0.08, 0.09, 0.1, 0.11, 0.12, 0.13, 0.14, 0.15, 0.16, 0.17, 0.18, 0.19, 0.20, 0.21, 0.22, 0.23, 0.24, または0.25 mm、または約0.001 mm刻みでその間の任意の値または値のレンジでありうる。また、実施例によっては、リベットの壁厚み、または少なくとも主ボビン本体近くのリベットは、対応する厚みを持つことができる。したがって、実施例によっては、2, 3, 4, 5, 6, 7, 8, 9, 10, 11, 12, 13, 14, 15, 16, 17, 18, 19 または 20  以上のリベットを含む。実施例によっては、比較的薄いリベットを使うものでは特に、リベットの数は、（たとえば、正常な使用中にさらされる力に耐えるに十分な強度を持つボビンを提供するための）構造上の考慮に基づいて決められる。
【０１２５】
上記にしたがい、比較的薄いリベットを持つ実施例は、少なくともいくつかの実施例では、ボビンに存在する絶縁表面の数が増える。この点で、上述のように、実施例によっては、絶縁表面はここに詳述したように渦電流の程度を制御することができるので、絶縁表面の数の増加に有用性がありうる。
【０１２６】
少なくともいくつかの実施例では、上述のような壁厚みを持つコアを有する主ボビン本体を作るのは経済的に不可能であることがあり、代替実施例のボビンは、コアがリベットだけからなり（または機械的なコンポーネント、下の記述では、実施例として軟鉄のような透磁性材料の積層が使われる）、ボビンの「アーム」がそれに直接取り付けられている。この点で、図１４が変換器１４５０の実施例を描いており、ボビン１４５４Ａを含むボビンアセンブリ１３５４が含まれる。ボビン１４５４Ａは、ボビンアーム1454A’および積層コア1454A”を含み、ボビンアーム1454A’がその中央に穴をもつディスクを構成し、その穴に積層コア1454A”が圧縮嵌めまたは締まり嵌めされている（またはここに記述した教示事項またはその変形を実施することを可能にする任意の方法で嵌められている）。代替実施例では、ボビンアーム1454A’が固形のディスクを構成し、積層コア1454A”がこれらのディスクの対面する表面に固定されている（たとえば、溶接、焼結などにより）。このような実施例は、動的磁束が積層の縦面のどれも横切らない点で有用性をもつことができる（横面だけを横切り、実施例によっては、積層の横端がアームに取り付けられているので面はなく（たとえば、積層およびアームの局部が溶けた後冷却されるため）、これらの表面も交差されていない）。実施例では、いくつかの積層だけがアームの内面で止まり、他の積層は図１４に描かれるように延びる（たとえば、最初の１、２ほどのmmの外側の積層がアームで止まり、内側の積層はアームの穴をとおってずっと延びる）。実施例では積層コア1454A”が複数の積層からなり、その壁の厚みは、約0.01, 0.02, 0.03, 0.04, 0.05, 0.06, 0.07, 0.08, 0.09, 0.1, 0.11, 0.12, 0.13, 0.14, 0.15, 0.16, 0.17, 0.18, 0.19, 0.20, 0.21, 0.22, 0.23, 0.24, または 0.25 mm、 または約0.001mm 刻みでその間の任意の値または値のレンジである。実施例では、積層の数は、約2, 3, 4, 5, 6, 7, 8, 9, 10, 11, 12, 13, 14, 15, 16, 17, 18, 19, 20, 21, 22, 23, 24, 25, 26, 27, 28, 29, 30, 31, 32, 33, 34, 35, 36, 37, 38, 39 または40以上である。
【０１２７】
実施例では、個々の積層は互いに圧縮嵌めまたは締まり嵌めされている（たとえば、それぞれ雌積層を加熱し雌積層の間に比較的冷たい雄積層を置くなどにより）。代替実施例では、積層は一度に一方を他方の上にロールされる。実施例では、積層の数はボビンの構造的一体性に関する有用度を達成することができる大きさに関係する。図１４の実施例では積層が同じ壁厚みをもつとしたが、他の実施例では積層は異なる壁厚みを持つ（概念的には、図１２Cの実施例に沿う）。理論によって拘束されることなく、実施例によっては、コイル近くのボビンの表面近くに比較的薄い積層を持つことに、内側にある（すなわち、コイルから離れている）積層に比べて、有用性価値があり得る。（その上で、代替実施例ではそうなっていない。）したがって、実施例は、他のすべての積層を組み合わせたよりも実質的に大きい壁厚みを持つ内側の積層を含む。代替実施例では必ずしもすべての積層が軟鉄のような透磁性材料のものではない。図１５を参照すると、実施例では、ボビン1554Aのコアがあり、このボビンは合成ボビンであり、たとえば、一つまたは複数の内側積層が構造的に強く概して軽く（カウンタバランスに付加的な材料を加えると強度が低下する）透磁性でない材料でできており、外側の積層は透磁性の材料（軟鉄など）でできている。図１５は、そのような実施例のボビン1554Aのコアの断面の一部を示す（ここに詳述した他の断面と同様にこの断面は動的磁束の流れ方向に直角なプレーンでとられている）。図に見られるように、コアは複数の積層（2, 3, 4, 5, 6, 7, 8, 9, 10, 11, 12, 13, 14, 15, 16, 17, 18, 19, 20, 21, 22, 23, 24, 25, 26, 27, 28, 29, 30, 31, 32, 33, 34, 35, 36, 37, 38, 39 または 40以上)でできている透磁性の積層コアセクション1554A’を含むが、代替実施例ではコアは一つの積層だけでできており、セクション1554A”は異なる材料でできており、セクション1554A”はボビン1554Aに十分な機械的強度を与える材料でできており寸法、大きさを決められている。代替実施例ではセクション1554A’は少なくともセクション1554A”によって与えられるものと比べて、ボビンに比較的小さい機械的強度を与える。実施例では、異なる材料の使用は、ここに詳述したリベット/積層に関連する物理現象の少なくともいくつかを有する比較的軽いボビンを提供する。
【０１２８】
理論によって拘束されることなく、実施例によっては、リベットの使用（積層または他の代替構造を含む）、より具体的にはこれらのリベットによって与えられる絶縁表面の使用は、コイル近くのボビンのコアの表面に関し動的磁束の浸透深さを増加させることができる。これは、同じ寸法をもつがリベット/絶縁表面を持たないボビンに比べて、ボビンを通る動的磁束の増加を許す効果を持ち得る。これの当然の帰結として、これは、同じ寸法をもつがリベット/絶縁表面を持たないボビンに比べて、ボビンのコアを通る動的磁束に対する抵抗を低減させる効果を持つことができる。
【０１２９】
続けて理論によって拘束されることなく、いくつかの実施例では、渦電流をより小さい大きさおよび/またはより多数の電流に分割すると、付加的な渦電流の結果として付加的な動的磁束が発生されうる。この点で、絶縁表面の数が増えることは、実施例によっては、理論によって拘束されることなく、ボビンのコアを通ることができる動的磁束の大きさを増加させ、および/またはその動的磁束が通る通路に対する抵抗を低減させる。
【０１３０】
いくつかの実施例によると、ここで議論した通路および/またはその変形は、経皮骨伝導デバイスの通皮骨伝導デバイス（能動および/または受動）への変換を可能にすることに関し有用性をもつことができ、その逆も可能であり、そのような変換を行う方法の実施例をこれから説明する。より具体的には、経皮骨伝導デバイス用に構成された骨固定システムを通皮骨伝導デバイス（能動および/または受動）用の骨固定システムに変換する方法に向けたいくつかの例としての方法を記述する。
【０１３１】
実施例では、外科医または資格のある医師を含んでも含まなくてもよいが訓練された専門家（ここでは、集合的に概して医師と呼ぶ）に対し、経皮骨伝導デバイスを取り付けられている受容者が提示される。ここで、骨固定システムは取り付けネジ（たとえば、図６の実施例）を介して取り付け部が接続された骨固定具を使っている。より具体的には、最初の作業として医師は頭骨にインプラントされた経皮骨伝導デバイスの骨固定具にアクセスする。ここで、取り付け部は受容者の皮膚に延びる骨固定具に接続されている。次ぎに（作業の割り込みがあってもよい、特に断らない限り、ここに説明するどの方法も割り込み作業が介在してよく、「次ぎに」とか「後に」という用語は、順序の全体的時間的観点から使われており、即時を意味しない）医師は骨固定具から取り付け部を取り外す。シナリオでは、取り付け部は取り付け部を通って延びる取り付けネジを介して骨固定具に取り付けられており、骨固定具にネジ止めされている。このステップは、取り付けネジを骨固定具からはずして取り付け部を骨固定具から取り除くことを含む。次ぎに図３の実施例の振動部３５５のような振動装置、受動通皮骨伝導デバイスの場合、が受容者の皮膚の下に配置されている。実施例では、振動装置は骨固定具にスリップ嵌めまたは締まり嵌めされており、骨固定具にネジがねじ込まれて振動装置が骨固定具に取り付けられていて、振動装置が骨固定具への堅い取り付けが維持され確立されている。
【０１３２】
上述の作業の前もしくは後、またはその中間に次ぎに説明する方法、作業の一つまたは複数を実行することができる。その代わりにまたはそれに加えて、次の方法、作業を含む方法を実行することができる。先ず、以前に取り付け部（またはその他の取り付け部）に取り付けられた経皮骨伝導デバイスの取り外し可能コンポーネントの電磁変換器が結合アセンブリから取り外され、その際オプションとして任意の他のコンポーネントと一緒に取り外してよく、受動通皮骨伝導デバイスで使うため外部デバイスに設置する。
【０１３３】
この点で、経皮骨伝導デバイスの取り外し可能コンポーネントの実施例は、電磁変換器のボビンおよび他の関係するコンポーネントを通る通路があるようになっている。実施例によっては、貫通ボルトもちくは同様のものまたは他の締め付けシステムがこの通路を通って延び、結合アセンブリを経皮骨伝導デバイスの電磁変換器に固定関係で維持する。実施例では、この通路を通って延びる貫通ボルトもしくは同様のものまたは他の締め付けシステムは取り外されるなど解除され、結合アセンブリおよび他のコンポーネントを電磁変換器との固定関係から取り外すことができる。
【０１３４】
さらに例として、この変換方法の実施例によっては、経皮骨伝導デバイスの電磁変換器と取り外し可能なコンポーネントとの間の伝達線（たとえば電気リード）が切られる。しかし、実施例では、これらの接続および/またはサウンド・プロセッサなどの関連するコンポーネントとのものなどの他の接続も経皮骨伝導デバイスの取り外し可能コンポーネントから取り外される。
【０１３５】
さらに例としての方法は、少なくとも受動通皮骨伝導デバイスで使用する変換に関して、圧力プレート装置の確立を含み、これは取り外された電磁バイブレータに結合されると、受動通皮骨伝導デバイス（図８Cの代替実施例による）の外部デバイスに対応する外部デバイスになる。
【０１３６】
具体的には、確立された圧力プレート装置は、図３で説明したプレート３４６に対応し、取り外された電磁変換器が図３に関し説明した振動電磁アクチュエータ３４２に対応する。電磁変換器の圧力プレートへの固定関係での設置は、ボルトまたは同様のもののような締め付けシステムを電磁変換器と圧力プレートとの間の通路を通して挿入することによって達成することができる。スペーサおよび/または他の支持構造がプレートと電磁変換器との間に介在してもよい。サウンド・プロセッサが経皮骨伝導デバイスの取り外し可能コンポーネントから取り外されていたなら、そのサウンド・プロセッサは外部デバイスに含められることができ、または別のコンポーネントに含められることができる。したがって、実施例では、電磁変換器を通る通路は、経皮骨伝導デバイスの取り外し可能コンポーネントの結合アセンブリを使用することなく、変換器が受動通皮骨伝導デバイスの外部デバイスの圧力プレートに取り付けられることを可能にする。
【０１３７】
実施例では、もしあるとしても締め付けシステムその他の構造は、組み込まれたとき、経皮骨伝導デバイスの取り外し可能コンポーネントから取り外された電磁変換器からの振動が圧力プレートに伝達されるように構成されまたは調整されている。この点で、通路を利用する締め付けシステムは、経皮骨伝導デバイスの取り外し可能コンポーネントの電磁変換器が圧力プレート装置に堅くリンクされることを可能にする。こうして既存の電磁変換器は、オプションとして既存のサウンド・プロセッサ（実施例によっては、所与の受容者の特異な観点にフィット（プログラミングによる調整）されている）とともに、同じ受容者の受動通皮骨伝導デバイスの外部デバイス（サウンド・プロセッサについては、付加的なフィッティング、プログラミングがあるとしても比較的少ない）において再利用されることができる。
【０１３８】
ここでは電磁変換器の通路をすっかり通って延びる締め付けシステムの利用に向けて実施例を記述したが、他の実施例では締め付けシステムは通路の一部にだけ延びていてよい（たとえば、通路の底部にネジが切られていて、締め付けシステムがこれと合うネジを持っていて通路のネジと接合し、（たとえば、圧力プレートの底部から）締め付けシステムを回すことにより、圧縮プレートと電磁変換器との間に圧縮力を得ることができる、など）。取り外された電磁変換器の通路を利用して変換器を受動通皮骨伝導デバイスの外部デバイスの圧縮プレートに固定することができる任意のデバイス、システムまたは方法を、いくつかの実施例で使用することができる。
【０１３９】
上述の方法の変形によると、代替実施例において、受動通皮骨伝導デバイスの外部デバイスを確立する代わりに、図４の振動装置４５３に対応する能動通皮骨伝導デバイスの振動装置を確立することを含む。すなわち、受動通皮骨伝導デバイスの取り外し可能コンポーネントから電磁変換器を取り外した後に、それを受動通皮骨伝導デバイスの外部デバイスに設置する代わりに、電磁変換器は、能動通皮骨伝導デバイスのインプラント可能コンポーネントの振動装置のハウジング（たとえば、図８Ａおよび８Ｂのハウジングなど）に設置される。さらにこの通路は、締め付けシステムが図８Ａおよび/または８Ｂの実施例のものによる振動電磁変換器結合アセンブリのものと同様な結合を達成するために使用されることができる。そのような実施例の少なくともいくつかの例では、付加的なフィッティング、再プログラミングをしても比較的少ないが、経皮骨伝導デバイスからとりはずされたサウンド・プロセッサを能動通皮骨伝導デバイスの外部コンポーネントに設置することができる。
【０１４０】
そのような代替実施例では、上述の作業を逆に実施することを含む方法がある。たとえば、経皮骨伝導デバイスの電磁変換器（オプション的にサウンド・プロセッサのような他のコンポーネントも）を受動通皮骨伝導デバイスの外部デバイスまたは能動通皮骨伝導デバイスの振動装置を確立するために利用する代わりに、後者のデバイスのうち一つのもの（能動または受動通皮骨伝導デバイス）の電磁変換器を取り外して、経皮骨伝導デバイスまたは能動もしくは受動通皮骨伝導デバイスの他方に設置する。
【０１４１】
さらに他の実施例では、たとえば上述の通路を使用して、経皮骨伝導デバイス、能動通皮骨伝導デバイス、受動通皮骨伝導デバイスの２以上で使用するよう構成された電磁変換器がある。すなわち、実施例では、電磁変換器は骨伝導デバイスに関して「普遍的な(ユニバーサル)」電磁変換器である。したがって、骨伝導デバイスの製造を含む方法があり、第１の設計による第１の電磁変換器を経皮骨伝導デバイス、能動通皮骨伝導デバイスまたは受動通皮骨伝導デバイスに設置すること、少なくとも概して第１の電磁変換器に従う第２または第３の電磁変換器を、経皮骨伝導デバイス、能動通皮骨伝導デバイスまたは受動通皮骨伝導デバイスの他方の少なくとも一つまたは両方に設置すること、を含む。設計は、少なくとも部分的にその中を通る通路を持つ第１の設計に概して従う。
【０１４２】
もう一つの例としての方法は、経皮骨伝導デバイス、能動通皮骨伝導デバイスまたは受動通皮骨伝導デバイスで第１の設計による電磁変換器を使用して、効果的な聴覚を誘起すること、ならびに経皮骨伝導デバイス、能動通皮骨伝導デバイスまたは受動通皮骨伝導デバイスの他方の両方の一つで概して第１の設計に従う第２および/または第３の電磁変換器を使用して聴覚を誘起すること、を含む。設計は、少なくとも部分的にその中を通る通路を持つ第１の設計に概して従う。
【０１４３】
ここに記述した方法および/またはその変形は、ここに記述した電磁変換器および/またはその変形を使用して実行することができる。
【０１４４】
ここに記述した製造方法は、得られる製品の記述を構成し、デバイスを作る方法の記述は対応する製造方法の記述を構成する。開示した方法は、その方法を実施するためのデバイスの開示を構成し、ここに記述したデバイスの機能は使用方法および機能を構成する。
【０１４５】
本発明の種々の実施例を記述したが、これらの例としての記述であり、制限的なものではない。関連分野の知識をもつ人にとって、本発明の範囲、精神から離れることなく種々の変更を加えることが可能であることが明白である。したがって、本発明の範囲は、上述の実施例によって制限されてはならず、特許請求の範囲の記載およびその均等物によってのみ規定される。
【符号の説明】
【０１４６】
１２６    サウンド入力エレメント
１２８    脂肪
１３２    皮膚
１３４    筋肉
１３６    骨
３００、４００    通皮骨伝導デバイス
３４０、４４０    外部デバイス
３４１    骨固定具
３４２    振動アクチュエータ
３４４    ハウジング
３４６    プレート
３５０、４５０    インプラント可能コンポーネント
３５２    振動装置（プレートアセンブリ）
３５４    くぼみ
３５５    振動部
３５６    ネジ部
４４２    送信コイル
４５２    振動アクチュエータ
４５３    振動装置
４５４    ハウジング
４５６    インプラント受信コイル
４５８    ハウジング
４６０    電気リードアセンブリ
【図１Ａ】
2016509944.tif 000003
【図１Ｂ】
2016509944.tif 000004
【図２】
2016509944.tif 000005
【図３】
2016509944.tif 000006
【図４】
2016509944.tif 000007
【図５】
2016509944.tif 000008
【図６】
2016509944.tif 000009
【図７Ａ】
2016509944.tif 000010
【図７Ｂ】
2016509944.tif 000011
【図７Ｃ】
2016509944.tif 000012
【図８Ａ】
2016509944.tif 000013
【図８Ｂ】
2016509944.tif 000014
【図８Ｃ】
2016509944.tif 000015
【図９】
2016509944.tif 000016
【図１０】
2016509944.tif 000017
【図１１】
2016509944.tif 000018
【図１２Ａ】
2016509944.tif 000019
【図１２Ｂ】
2016509944.tif 000020
【図１２Ｃ】
2016509944.tif 000021
【図１３】
2016509944.tif 000022
【図１４】
2016509944.tif 000023
【図１５】
2016509944.tif 000024
【国際調査報告】
2016509944.tif 000025
2016509944.tif 000026